(57)【特許請求の範囲】
【請求項１】
感染拡大防止支援システムであって、
検査判定情報が記憶された記憶部と、
被験者における感染症の感染を検査するための検査情報に検査内容を特定する検査ＩＤが含まれている場合には前記検査ＩＤによって特定される検査内容に従って前記被験者における感染症の感染の有無又は程度を判定するとともに、前記検査情報に前記検査ＩＤが含まれていない場合には前記検査情報から推定した検査内容、または、予め定められた検査内容に従って前記感染症の感染の有無又は程度を判定する感染判定部と、
前記感染判定部の判定結果である感染判定情報に基づいて前記感染症の感染者を特定し、前記感染者の行動を規制するための行動規制情報を生成する行動規制情報生成部と、
前記行動規制情報によって行動が規制された前記感染者の治療を支援するための治療支援情報を生成する治療支援情報生成部と、
前記行動規制情報又は前記治療支援情報を出力する出力部と、
前記検査情報に前記検査ＩＤが含まれている場合、前記検査情報に含まれる個人特定情報又は端末ＩＤと前記検査ＩＤとに基づいて、前記被験者が次回以降に行うべき前記感染症の１以上の検査についての検査ＩＤを第２検査ＩＤとして選択的に受信する受信部と、
を備え、
前記記憶部には、前記第２検査ＩＤが記憶されており、
前記感染判定部は、次回以降に前記感染症の検査を行う場合、前記第２検査ＩＤによって特定される検査内容に従って前記感染症の感染の有無又は程度を判定する、
感染拡大防止支援システム。
【請求項２】
感染拡大防止支援システムであって、
検査判定情報が記憶された記憶部と、
被験者における感染症の感染を検査するための検査情報に検査内容を特定する検査ＩＤが含まれている場合には前記検査ＩＤによって特定される検査内容に従って前記被験者における感染症の感染の有無又は程度を判定するとともに、前記検査情報に前記検査ＩＤが含まれていない場合には前記検査情報から推定した検査内容、または、予め定められた検査内容に従って前記感染症の感染の有無又は程度を判定する感染判定部と、
前記感染判定部の判定結果である感染判定情報に基づいて前記感染症の感染者を特定し、前記感染者の行動を規制するための行動規制情報を生成する行動規制情報生成部と、
前記行動規制情報によって行動が規制された前記感染者の生命維持を支援するための生命維持支援情報を生成する生命維持支援情報生成部と、
前記行動規制情報又は前記生命維持支援情報を出力する出力部と、
前記検査情報に前記検査ＩＤが含まれている場合、前記検査情報に含まれる個人特定情報又は端末ＩＤと前記検査ＩＤとに基づいて、前記被験者が次回以降に行うべき前記感染症の１以上の検査についての検査ＩＤを第２検査ＩＤとして選択的に受信する受信部と、
を備え、
前記記憶部には、前記第２検査ＩＤが記憶されており、
前記感染判定部は、次回以降に前記感染症の検査を行う場合、前記第２検査ＩＤによって特定される検査内容に従って前記感染症の感染の有無又は程度を判定する、
感染拡大防止支援システム。
【請求項３】
前記感染判定部は、
前記被験者の本人確認処理を実行し、本人の認証がされた場合に、前記感染症の感染の有無又は程度を判定する、
請求項１又は請求項２に記載の感染拡大防止支援システム。
【請求項４】
搬送先の医療機関を含む緊急搬送支援情報を生成する緊急搬送支援情報生成部を更に備える、
請求項１から請求項３の何れか１項に記載の感染拡大防止支援システム。
【請求項５】
前記出力部は、前記感染判定情報に基づいて、前記被験者を特定する個人特定情報を出力する、
請求項１から請求項４の何れか１項に記載の感染拡大防止支援システム。
【請求項６】
前記個人特定情報は、
検査端末の検査によって得られる前記被験者のＤＮＡに関する情報を含む、
請求項５に記載の感染拡大防止支援システム。
【請求項７】
前記出力部は、
注意事項又は行動指針を示す注意事項行動指針情報を出力する、
請求項１から請求項６の何れか１項に記載の感染拡大防止支援システム。
【請求項８】
前記出力部は、
会員情報が示す会員である者と、会員でない者とにおいて、出力する情報の態様を異ならせる、
請求項１から請求項７の何れか１項に記載の感染拡大防止支援システム。
【請求項９】
前記感染判定部による判定日時又は有効期限を含む証明情報を生成する証明情報生成部を更に備える、
請求項１から請求項８の何れか１項に記載の感染拡大防止支援システム。
【請求項１０】
前記行動規制情報は、前記感染者の位置情報、前記感染者の市町村コード、又は前記感染判定部を備える端末の位置情報に基づいて生成される、
請求項１から請求項９の何れか１項に記載の感染拡大防止支援システム。
【請求項１１】
前記治療支援情報生成部は、前記治療支援情報として、前記感染者の治療に用いる物品の物品名および該物品の供給日を含む物品供給支援情報を生成する、
請求項１に記載の感染拡大防止支援システム。
【請求項１２】
前記出力部は、物流業者の端末に物品選定情報を出力する、
請求項１から請求項１１の何れか１項に記載の感染拡大防止支援システム。
【請求項１３】
前記行動規制情報生成部は、前記行動規制情報として、監視カメラによる前記感染者の監視を支援するための監視支援情報を生成する、
請求項１から請求項１２の何れか１項に記載の感染拡大防止支援システム。
【請求項１４】
記憶部を備えるコンピュータに、
被験者における感染症の感染を検査するための検査情報に検査内容を特定する検査ＩＤが含まれている場合には前記検査ＩＤによって特定される検査内容に従って前記被験者における感染症の感染の有無又は程度を判定するとともに、前記検査情報に前記検査ＩＤが含まれていない場合には前記検査情報から推定した検査内容、または、予め定められた検査内容に従って前記感染症の感染の有無又は程度を判定する感染判定ステップと、
前記感染判定ステップの判定結果である感染判定情報に基づいて前記感染症の感染者を特定し、前記感染者の行動を規制するための行動規制情報を生成する行動規制情報生成ステップと、
前記行動規制情報によって行動が規制された前記感染者の治療を支援するための治療支援情報を生成する治療支援情報生成ステップと、
前記行動規制情報又は前記治療支援情報を出力する出力ステップと、
前記検査情報に前記検査ＩＤが含まれている場合、前記検査情報に含まれる個人特定情報又は端末ＩＤと前記検査ＩＤとに基づいて、前記被験者が次回以降に行うべき前記感染症の１以上の検査についての検査ＩＤを第２検査ＩＤとして選択的に受信する受信ステップと、
を実行させるためのプログラムであり、
前記記憶部には、前記第２検査ＩＤが記憶されており、
前記感染判定ステップは、次回以降に前記感染症の検査を行う場合、前記第２検査ＩＤによって特定される検査内容に従って前記感染症の感染の有無又は程度を判定する、
プログラム。
【請求項１５】
記憶部を備えるコンピュータに、
被験者における感染症の感染を検査するための検査情報に検査内容を特定する検査ＩＤが含まれている場合には前記検査ＩＤによって特定される検査内容に従って前記被験者における感染症の感染の有無又は程度を判定するとともに、前記検査情報に前記検査ＩＤが含まれていない場合には前記検査情報から推定した検査内容、または、予め定められた検査内容に従って前記感染症の感染の有無又は程度を判定する感染判定ステップと、
前記感染判定ステップの判定結果である感染判定情報に基づいて前記感染症の感染者を特定し、前記感染者の行動を規制するための行動規制情報を生成する行動規制情報生成ステップと、
前記行動規制情報によって行動が規制された前記感染者の生命維持を支援するための生命維持支援情報を生成する生命維持支援情報生成ステップと、
前記行動規制情報又は前記生命維持支援情報を出力する出力ステップと、
前記検査情報に前記検査ＩＤが含まれている場合、前記検査情報に含まれる個人特定情報又は端末ＩＤと前記検査ＩＤとに基づいて、前記被験者が次回以降に行うべき前記感染症の１以上の検査についての検査ＩＤを第２検査ＩＤとして選択的に受信する受信ステップと、
を実行させるためのプログラムであり、
前記記憶部には、前記第２検査ＩＤが記憶されており、
前記感染判定ステップは、次回以降に前記感染症の検査を行う場合、前記第２検査ＩＤによって特定される検査内容に従って前記感染症の感染の有無又は程度を判定する、
プログラム。
【請求項１６】
請求項１から請求項１３の何れか１項に記載の感染拡大防止支援システムと通信する端末であって、
前記感染拡大防止支援システムから前記行動規制情報を受信する受信部と、
前記行動規制情報に基づく前記感染者の移動可能範囲を示す情報が表示される画面と、
を備える端末。
【請求項１７】
前記行動規制情報は、前記端末の位置情報、前記感染者の位置情報、又は前記感染者の市町村コードに基づいて生成される、
請求項１６に記載の端末。
【請求項１８】
前記受信部は、前記行動規制情報として、前記感染者が移動可能範囲を超えて外出することを禁止する旨のメッセージ情報を受信する、
請求項１６又は請求項１７に記載の端末。
【請求項１９】
前記受信部は、前記感染症の治療を支援するための治療支援情報として、前記感染者の治療に用いる物品の物品名および該物品の供給日を含む物品供給支援情報を受信する、
請求項１６から請求項１８の何れか１項に記載の端末。
【請求項２０】
進入許否、滞在許否又は入退場許否を判定する許否判定部と、
前記許否判定部による判定の結果を報知する判定結果報知部と、
を備え、
前記受信部は、
前記感染拡大防止支援システムから、前記行動規制情報として、前記感染者の進入又は滞在を規制する進入滞在規制情報、又は、前記被験者の医療機関への入退場を規制する入退場規制支援情報を受信し、
前記許否判定部は、前記進入滞在規制情報、又は、前記入退場規制支援情報に基づいて進入許否、滞在許否又は入退場許否を判定する、
請求項１６から請求項１９の何れか１項に記載の端末。
【請求項２１】
前記受信部は、前記感染拡大防止支援システムから、前記行動規制情報によって行動が規制された前記感染者の治療を支援するための治療支援情報、又は、前記行動規制情報によって行動が規制された前記感染者の生命維持を支援するための生命維持支援情報を受信し、
前記画面には、前記治療支援情報、又は、前記生命維持支援情報が表示される、
請求項１６から請求項２０の何れか１項に記載の端末。
【請求項２２】
前記感染判定情報又は前記被験者の属性情報に基づいて選定される前記感染症の拡大防止に用いる物品が、前記画面に表示される、
請求項１６から請求項２１の何れか１項に記載の端末。
【請求項２３】
前記感染者の属性情報又は前記被験者の属性情報を外部へ送信する送信部を備える、
請求項１６から請求項２２の何れか１項に記載の端末。
【発明の詳細な説明】
【技術分野】
【０００１】
本発明は、感染拡大防止支援システム、端末及びプログラムに関するものである。
本願は、２０１０年６月３０日に、日本に出願された特願２０１０−１５０３３０号に基づき優先権を主張し、その内容をここに援用する。
【背景技術】
【０００２】
従来、病院などの専門機関の外で実施する遠隔検査システムおよび検査方法が知られている（例えば、特許文献１参照）。
【先行技術文献】
【特許文献】
【０００３】
【特許文献１】特開２００９−２５８８８６号公報
【発明の概要】
【発明が解決しようとする課題】
【０００４】
しかしながら、従来では、専門機関の外で感染症に感染しているか否かを検査できたとしても、感染症の拡大を防止することができないという問題がある。
本発明に係る態様は、感染症の拡大防止を支援することができる技術を提供する。
【課題を解決するための手段】
【０００５】
本発明に係る一態様における感染拡大防止支援システムは、感染拡大防止支援システムであって、検査判定情報が記憶された記憶部と、被験者における感染症の感染を検査するための検査情報に検査内容を特定する検査ＩＤが含まれている場合には前記検査ＩＤによって特定される検査内容に従って前記被験者における感染症の感染の有無又は程度を判定するとともに、前記検査情報に前記検査ＩＤが含まれていない場合には前記検査情報から推定した検査内容、または、予め定められた検査内容に従って前記感染症の感染の有無又は程度を判定する感染判定部と、前記感染判定部の判定結果である感染判定情報に基づいて前記感染症の感染者を特定し、前記感染者の行動を規制するための行動規制情報を生成する行動規制情報生成部と、前記行動規制情報によって行動が規制された前記感染者の治療を支援するための治療支援情報を生成する治療支援情報生成部と、前記行動規制情報又は前記治療支援情報を出力する出力部と、前記検査情報に前記検査ＩＤが含まれている場合、前記検査情報に含まれる個人特定情報又は端末ＩＤと前記検査ＩＤとに基づいて、前記被験者が次回以降に行うべき前記感染症の１以上の検査についての検査ＩＤを第２検査ＩＤとして選択的に受信する受信部と、を備え、前記記憶部には、前記第２検査ＩＤが記憶されており、前記感染判定部は、次回以降に前記感染症の検査を行う場合、前記第２検査ＩＤによって特定される検査内容に従って前記感染症の感染の有無又は程度を判定する。
【０００６】
本発明に係る別の態様における感染拡大防止支援システムは、感染拡大防止支援システムであって、検査判定情報が記憶された記憶部と、被験者における感染症の感染を検査するための検査情報に検査内容を特定する検査ＩＤが含まれている場合には前記検査ＩＤによって特定される検査内容に従って前記被験者における感染症の感染の有無又は程度を判定するとともに、前記検査情報に前記検査ＩＤが含まれていない場合には前記検査情報から推定した検査内容、または、予め定められた検査内容に従って前記感染症の感染の有無又は程度を判定する感染判定部と、前記感染判定部の判定結果である感染判定情報に基づいて前記感染症の感染者を特定し、前記感染者の行動を規制するための行動規制情報を生成する行動規制情報生成部と、前記行動規制情報によって行動が規制された前記感染者の生命維持を支援するための生命維持支援情報を生成する生命維持支援情報生成部と、前記行動規制情報又は前記生命維持支援情報を出力する出力部と、前記検査情報に前記検査ＩＤが含まれている場合、前記検査情報に含まれる個人特定情報又は端末ＩＤと前記検査ＩＤとに基づいて、前記被験者が次回以降に行うべき前記感染症の１以上の検査についての検査ＩＤを第２検査ＩＤとして選択的に受信する受信部と、を備え、前記記憶部には、前記第２検査ＩＤが記憶されており、前記感染判定部は、次回以降に前記感染症の検査を行う場合、前記第２検査ＩＤによって特定される検査内容に従って前記感染症の感染の有無又は程度を判定する。
【０００７】
本発明に係る別の態様におけるプログラムは、記憶部を備えるコンピュータに、被験者における感染症の感染を検査するための検査情報に検査内容を特定する検査ＩＤが含まれている場合には前記検査ＩＤによって特定される検査内容に従って前記被験者における感染症の感染の有無又は程度を判定するとともに、前記検査情報に前記検査ＩＤが含まれていない場合には前記検査情報から推定した検査内容、または、予め定められた検査内容に従って前記感染症の感染の有無又は程度を判定する感染判定ステップと、前記感染判定ステップの判定結果である感染判定情報に基づいて前記感染症の感染者を特定し、前記感染者の行動を規制するための行動規制情報を生成する行動規制情報生成ステップと、前記行動規制情報によって行動が規制された前記感染者の治療を支援するための治療支援情報を生成する治療支援情報生成ステップと、前記行動規制情報又は前記治療支援情報を出力する出力ステップと、前記検査情報に前記検査ＩＤが含まれている場合、前記検査情報に含まれる個人特定情報又は端末ＩＤと前記検査ＩＤとに基づいて、前記被験者が次回以降に行うべき前記感染症の１以上の検査についての検査ＩＤを第２検査ＩＤとして選択的に受信する受信ステップと、を実行させるためのプログラムであり、前記記憶部には、前記第２検査ＩＤが記憶されており、前記感染判定ステップは、次回以降に前記感染症の検査を行う場合、前記第２検査ＩＤによって特定される検査内容に従って前記感染症の感染の有無又は程度を判定する、プログラムである。
【０００８】
本発明に係る別の態様におけるプログラムは、記憶部を備えるコンピュータに、被験者における感染症の感染を検査するための検査情報に検査内容を特定する検査ＩＤが含まれている場合には前記検査ＩＤによって特定される検査内容に従って前記被験者における感染症の感染の有無又は程度を判定するとともに、前記検査情報に前記検査ＩＤが含まれていない場合には前記検査情報から推定した検査内容、または、予め定められた検査内容に従って前記感染症の感染の有無又は程度を判定する感染判定ステップと、前記感染判定ステップの判定結果である感染判定情報に基づいて前記感染症の感染者を特定し、前記感染者の行動を規制するための行動規制情報を生成する行動規制情報生成ステップと、前記行動規制情報によって行動が規制された前記感染者の生命維持を支援するための生命維持支援情報を生成する生命維持支援情報生成ステップと、前記行動規制情報又は前記生命維持支援情報を出力する出力ステップと、前記検査情報に前記検査ＩＤが含まれている場合、前記検査情報に含まれる個人特定情報又は端末ＩＤと前記検査ＩＤとに基づいて、前記被験者が次回以降に行うべき前記感染症の１以上の検査についての検査ＩＤを第２検査ＩＤとして選択的に受信する受信ステップと、を実行させるためのプログラムであり、前記記憶部には、前記第２検査ＩＤが記憶されており、前記感染判定ステップは、次回以降に前記感染症の検査を行う場合、前記第２検査ＩＤによって特定される検査内容に従って前記感染症の感染の有無又は程度を判定する、プログラムである。
【０００９】
本発明に係る一態様における端末は、上述の感染拡大防止支援システムと通信する端末であって、前記感染拡大防止支援システムから前記行動規制情報を受信する受信部と、前記行動規制情報に基づく前記感染者の移動可能範囲を示す情報が表示される画面と、を備える。
【発明の効果】
【００１４】
本発明に係る態様によれば、感染症の拡大防止を支援することができるようになる。
【図面の簡単な説明】
【００１５】
【図１】本発明に係る態様第１の実施形態による感染拡大防止支援システムを含む全    システムの概念図である。
【図２Ａ】第１の実施形態による感染拡大防止支援システムを説明するための説明図    である。
【図２Ｂ】第１の実施形態による感染拡大防止支援システムを説明するための説明図    である。
【図２Ｃ】第１の実施形態による感染拡大防止支援システムを説明するための説明図    である。
【図２Ｄ】第１の実施形態による感染拡大防止支援システムを説明するための説明図    である。
【図２Ｅ】第１の実施形態による感染拡大防止支援システムを説明するための説明図    である。
【図３Ａ】第１の実施形態による感染拡大防止支援システムを説明するための説明図    である。
【図３Ｂ】第１の実施形態による感染拡大防止支援システムを説明するための説明図    である。
【図４Ａ】第１の実施形態による感染拡大防止支援システムを説明するための説明図    である。
【図４Ｂ】第１の実施形態による感染拡大防止支援システムを説明するための説明図    である。
【図４Ｃ】第１の実施形態による感染拡大防止支援システムを説明するための説明図    である。
【図４Ｄ】第１の実施形態による感染拡大防止支援システムを説明するための説明図    である。
【図４Ｅ】第１の実施形態による感染拡大防止支援システムを説明するための説明図    である。
【図５Ａ】第１の実施形態による感染拡大防止支援システムを説明するための説明図    である。
【図５Ｂ】第１の実施形態による感染拡大防止支援システムを説明するための説明図    である。
【図６】第１の実施形態による感染拡大防止支援システムを説明するための説明図で    ある。
【図７Ａ】第１の実施形態による感染拡大防止支援システムを説明するための説明図    である。
【図７Ｂ】第１の実施形態による感染拡大防止支援システムを説明するための説明図    である。
【図７Ｃ】第１の実施形態による感染拡大防止支援システムを説明するための説明図    である。
【図７Ｄ】第１の実施形態による感染拡大防止支援システムを説明するための説明図    である。
【図８】第１の実施形態による感染拡大防止支援システムを説明するための説明図で    ある。
【図９】本実施形態における感染拡大防止支援システムの処理の流れの一例を示すフ    ローチャートである。
【図１０】本発明に係る態様第２の実施形態による感染拡大防止支援システムを含む    全システムの概念図である。
【図１１Ａ】第２の実施形態による感染拡大防止支援システムを説明するための説明    図である。
【図１１Ｂ】第２の実施形態による感染拡大防止支援システムを説明するための説明    図である。
【図１１Ｃ】第２の実施形態による感染拡大防止支援システムを説明するための説明    図である。
【図１１Ｄ】第２の実施形態による感染拡大防止支援システムを説明するための説明    図である。
【図１１Ｅ】第２の実施形態による感染拡大防止支援システムを説明するための説明    図である。
【図１１Ｆ】第２の実施形態による感染拡大防止支援システムを説明するための説明    図である。
【図１１Ｇ】第２の実施形態による感染拡大防止支援システムを説明するための説明    図である。
【図１１Ｈ】第２の実施形態による感染拡大防止支援システムを説明するための説明    図である。
【図１２Ａ】第２の実施形態による感染拡大防止支援システムを説明するための説明    図である。
【図１２Ｂ】第２の実施形態による感染拡大防止支援システムを説明するための説明    図である。
【図１２Ｃ】第２の実施形態による感染拡大防止支援システムを説明するための説明    図である。
【図１３】本発明に係る態様第３の実施形態による感染拡大防止支援システムを含む    全システムの概念図である。
【図１４Ａ】第３の実施形態による感染拡大防止支援システムを説明するための説明    図である。
【図１４Ｂ】第３の実施形態による感染拡大防止支援システムを説明するための説明    図である。
【図１４Ｃ】第３の実施形態による感染拡大防止支援システムを説明するための説明    図である。
【図１４Ｄ】第３の実施形態による感染拡大防止支援システムを説明するための説明    図である。
【図１４Ｅ】第３の実施形態による感染拡大防止支援システムを説明するための説明    図である。
【図１５】第１の実施形態による感染拡大防止支援システムの変形例の概念図である    。
【図１６】本実施形態における感染拡大防止支援システムの処理の流れの他の一例を    示すフローチャートである。
【図１７】第２の実施形態による感染拡大防止支援システムの変形例の概念図である    。
【図１８】第３の実施形態による感染拡大防止支援システムの変形例の概念図である    。
【発明を実施するための形態】
【００１６】
（第１の実施形態）
以下、図面を参照しながら本発明の第１の実施形態について説明する。図１は、本発明の第１の実施形態による感染拡大防止支援システムを含むシステムの概念図である。図２Ａ乃至図８は、第１の実施形態による感染拡大防止支援システムを説明するための説明図である。本発明の第１の実施形態による感染拡大防止支援システム１は、図１に示すように、相互に通信する感染拡大防止支援サーバ１０と検査端末２０とからを備える。検査端末２０は、感染症の感染を検査するための端末である。感染拡大防止支援サーバ１０は、検査端末２０からの送信される情報等に基づいて、種々の情報（詳細は後述）を生成するためのサーバである。
【００１７】
図１に示す、端末位置情報ＤＢ５１、個人情報ＤＢ５２、会員情報ＤＢ５３、地図情報ＤＢ５４、物品情報等ＤＢ５６、注意情報等ＤＢ５７、検査判定情報ＤＢ５８、物品供給支援情報ＤＢ６２、感染統計情報ＤＢ６３、緊急搬送支援情報ＤＢ６４は何れも、感染拡大防止支援システム１の外部の記憶部（例、データベース）である（詳細は後述）。また、詳細解析システム４０、物品供給支援システム７２、感染統計情報提供システム７３、緊急搬送支援システム７４は何れも、感染拡大防止支援システム１の外部のシステムである（詳細は後述）。
【００１８】
図１に示す移動端末３０は、感染拡大防止支援システム１の外部の端末である。移動端末３０は、送受信部（送信部又は／及び受信部）３１０及び出力部３３０を備える。移動端末３０は、送受信部３１０によって情報を受信し、受信情報を出力部３３０に出力する。移動端末３０の一例は、携帯電話であるが、必ずしも通話機能を有する必要は無く、上述の如く、受信情報を出力する機器（例えば、カード形状の機器）であってもよい。
【００１９】
検査端末２０は、検査デバイス８０を装着する装着部（非図示）、入力受付部２１０、検査情報取得部２２０、送受信部（送信部又は／及び受信部）２３０及び出力部２５０を備える。例えば、検査端末２０は、検査デバイス８０を用いて、遺伝子検査、微生物学的検査、免疫学的検査、生化学的検査、などの検査が可能である。
【００２０】
検査情報取得部２２０は、感染症の感染を検査するための検査情報を取得する。一例として、検査情報取得部２２０は、検査デバイス８０から検査情報を取得する。検査情報取得部２２０は、検査情報を取得した場合、当該検査情報を送受信部２３０に供給する。
【００２１】
入力受付部２１０は、当該検査端末２０の操作者（例えば、被験者）からの入力を受け付ける入力インターフェースを有する。入力受付部２１０は、操作者からの入力があった場合、入力情報を送受信部２３０に供給する。入力情報の一例は、例えば、被験者を特定する個人特定情報であるが、個人特定情報は、操作者によって直接入力されたものであってもよいし、個人特定情報に対応付けて予め登録されている短縮コードを操作者が入力することによって選択されたものであってもよいし、検査情報取得部２２０の検査によって得られる被験者のＤＮＡに関する情報であってもよい。なお、検査情報取得部２２０は、被験者を特定する個人特定情報（例えば、ＤＮＡに関する情報）を含む検査情報を取得してもよい。また、個人特定情報の入力は、検査情報取得部２２０が被験者を特定する個人特定情報を含む検査情報を取得する場合には不要である。
【００２２】
送受信部２３０は、感染拡大防止支援サーバ１０に種々の情報を送信する。一例として、送受信部２３０は、検査情報取得部２２０から検査情報を取得した場合、当該検査情報を感染拡大防止支援サーバ１０に送信する。また、送受信部２３０は、入力受付部２１０から入力情報を取得した場合、当該入力情報を感染拡大防止支援サーバ１０に送信する。
なお、検査端末２０から感染拡大防止支援サーバ１０への送信情報は、入力情報などに応じて異なる。
【００２３】
例えば、送受信部２３０は、図２Ａに示すような、検査端末２０を識別する端末ＩＤ（例、郵便番号＋所定の数桁の英数字）、個人特定情報、及び、検査情報を含む送信情報を感染拡大防止支援サーバ１０に送信する。また例えば、送受信部２３０は、図２Ｂに示すような、システム（図１）において検査内容（種類、レベル）を特定する検査ＩＤを含む感染拡大防止支援サーバ１０に送信してもよい。また例えば、送受信部２３０は、図２Ｃに示すような、被験者の属性情報（例えば、性別、生年月日、血液型、病歴（本人、家族）、医薬品の服用歴、家族構成等）を含む送信情報を感染拡大防止支援サーバ１０に送信してもよい。また例えば、送受信部２３０は、検査端末２０の使用者（被験者）が一人に特定される場合には、感染拡大防止支援サーバ１０において端末ＩＤから個人を特定することができるため、図２Ｄに示すような、個人特定情報を含まない送信情報を感染拡大防止支援サーバ１０に送信してもよい。また例えば、送受信部２３０は、検査端末２０の利用場所が固定していない場合には、感染拡大防止支援サーバ１０において固定的に検査端末２０の利用場所を登録しておくことができないため、図２Ｅに示すような、検査端末２０の位置情報を含む送信情報を感染拡大防止支援サーバ１０に送信してもよい。
【００２４】
なお、図２Ｂにおける検査ＩＤは、操作者によって直接入力されたものであってもよいし、検査デバイスの形状等に応じて自動的に選択されたものであってもよい。また、図２Ｃにおける属性情報は、操作者によって直接入力されたものであってもよいし、個人特定情報に対応付けて当該検査端末２０内に登録されているものであってもよい。また、図２Ｅにおける位置情報は、ＧＰＳを利用して取得されたものであってもよいし（なお、当該場合、検査端末２０はＧＰＳ機能を有する）、基地局若しくは無線ＬＡＮなどのアクセスポイントと通信することによって取得されたものであってもよい。
【００２５】
また、送受信部２３０は、感染拡大防止支援サーバ１０等から種々の情報（詳細は後述）を受信する。送受信部２３０は、感染拡大防止支援サーバ１０等から情報を受信した場合、受信情報を出力部２５０に供給する。
【００２６】
出力部２５０は、操作者に種々の情報を出力する。例えば、出力部２５０は、入力受付部２１０が入力情報を取得するための入力画面、感染拡大防止支援サーバ１０等からの受信情報を出力画面に表示する。
【００２７】
感染拡大防止支援サーバ１０は、受信部１１０、感染判定部１２０、送受信制御部１３０、行動規制情報生成部１０００、治療支援情報生成部１０１０、生命維持支援情報生成部１０２０、証明情報生成部１０３０、統計情報生成部１０４０、緊急搬送支援情報生成部１０５０、医薬品選定部１０６０、及び、出力部１４０を備える。なお、以下の説明において、便宜上、破線にて示すように、行動規制情報生成部１０００、治療支援情報生成部１０１０、生命維持支援情報生成部１０２０、証明情報生成部１０３０、統計情報生成部１０４０及び緊急搬送支援情報生成部１０５０を情報生成部とも称する。
【００２８】
受信部１１０は、種々の情報を検査端末２０から受信する。一例として、受信部１１０は、検査端末２０によって送信された情報を選択的に受信するための制御情報（以下、選択受信制御情報）に従って、検査端末２０によって送信された情報を選択的に受信する。
例えば、受信部１１０は、選択受信制御情報を一時記憶し、一時記憶している選択受信制御情報に基づいて、検査端末２０によって送信された情報を選択的に受信する。なお、選択受信制御情報は、送受信制御部１３０に生成されるが、詳細は後述する。
【００２９】
また、受信部１１０は、検査情報を含む詳細検査要求（詳細な検査若しくは判定を外部に求める要求）を感染判定部１２０から取得する。受信部１１０は、詳細検査要求を取得した場合、当該詳細検査要求を詳細解析システム４０に出力し、詳細検査要求の応答として、詳細解析システム４０から解析結果若しくは判定結果を受信する。
【００３０】
また、受信部１１０は、外部のＤＢから種々の情報を受信する。以下、外部のＤＢについて詳しく説明する。
【００３１】
外部のＤＢのうち、端末位置情報ＤＢ５１、個人情報ＤＢ５２、会員情報ＤＢ５３、地図情報ＤＢ５４、物品情報等ＤＢ５６、注意情報等ＤＢ５７、及び、検査判定情報ＤＢ５８は、主に、感染拡大防止支援サーバ１０に提供する情報を記憶する。外部のＤＢのうち、物品供給支援情報ＤＢ６２、感染統計情報ＤＢ６３、及び、緊急搬送支援情報ＤＢ６４は、主に、感染拡大防止支援サーバ１０が生成した情報を記憶する。
【００３２】
端末位置情報ＤＢ５１は、検査端末２０、移動端末３０等の端末を識別する端末ＩＤに対応付けて各端末の位置情報を記憶する。なお、端末位置情報ＤＢ５１が、現在の位置情報を記憶する方法は種々の方法があるが、例えば、移動端末３０（移動端末である検査端末２０も同様）については、携帯電話機等の移動局の位置登録（ＨＬＲ（home location 
register）による位置登録）と同様、適宜、位置情報を更新する。また、上述の如く、ＧＰＳ又はアクセスポイントとの通信によって、移動端末３０自身が取得した位置情報を、適宜、取得し、更新するようにしてもよい。なお、検査端末２０（移動端末である検査端末２０は除く）については、例えば、設置時に位置情報を登録すればよい。
【００３３】
個人情報ＤＢ５２は、個人特定情報、住所、氏名、連絡先、緊急連絡先、属性情報（例えば、性別、生年月日、血液型、病歴（本人及び家族）、医薬品の服用歴、家族構成等）、認証用情報（例えば、パスワード、生体認証情報）、検査に利用する検査端末２０の端末ＩＤ、所持する移動端末３０の端末ＩＤを記憶する。
【００３４】
会員情報ＤＢ５３は、会員を特定するための会員特定情報、各会員によって指定された指定地域を示す地域情報、各会員によって指定された端末の端末ＩＤを記憶する。会員情報ＤＢ５３は、各会員によって指定された感染統計情報（後述）に関する情報（集計（出力）項目、生成頻度、生成時刻）を記憶してもよい。なお、会員とは、公的機関（例えば、国、地方自治体）、公共機関（医療機関、学校、電車、バス）、ＮＰＯ、企業、個人のうち、予め登録したものをいう。
【００３５】
地図情報ＤＢ５４は、位置情報（住所情報）とリンクされた地図情報（ビットマップ）を記憶する。即ち、位置情報（北緯／東経、又は、番地）とビットマップ上の座標とが対応付けられている地図情報を記憶する。また、地図情報ＤＢ５４は、市町村コード、市町村名、各市町村の位置情報（住所情報）を記憶する。また、地図情報ＤＢ５４は、所定の場所の位置情報（住所情報）を記憶する。所定の場所の一例は、例えば、消防署（救急隊、レスキュー隊の所属する部署）、感染者の搬送先として指定された医療機関、物品（医薬品、水、食糧、検査デバイス等）の倉庫、物品の集配所などである。
【００３６】
物品情報ＤＢ５６は、所定の物品の在庫情報、配送業者などの物品の供給に関する情報等を記憶する。所定の物品の一例は、医薬品、検査デバイス、マスク、体温計、水、食糧などである。
【００３７】
注意情報等ＤＢ５７は、被験者やその家族へ提供する注意事項又は行動指針を示す注意事項行動指針情報、又は、感染症の拡大を防止する当局の行動計画を示す行動計画情報を生成するために必要となる情報等を記憶する。即ち、注意情報等ＤＢ５７には、注意事項行動指針情報、行動計画情報等の情報を自動生成するために素材（種々の雛形、各雛形上の各欄に対応する種々の文言）が蓄積されている。なお、注意情報等ＤＢ５７は、日本語を理解できない外国人、障害者に対応するべく種々の出力形式（例えば、外国語、音声、点字）をサポートし、また、知的障害者へ派遣する支援者に関する情報なども記憶する。
検査判定情報ＤＢ５８は、被験者における感染症の感染の有無又は程度を判定するために必要となる情報などを記憶する。即ち、検査判定情報ＤＢ５８には、被験者の検査情報に対して感染症の感染の有無又は程度を判定するためのしきい値又は参照値（又は基準値）などの検査判定情報が予め記憶されている。例えば、検査判定情報ＤＢ５８は、所定の感染症に対する感染の有無及び程度を判定できるしきい値を該感染症ごとに記憶している。また、例えば、検査判定情報ＤＢ５８は、所定の感染症に対する感染の有無及び程度を判定できる５段階の基準値（例、基準値：１〜５）を該感染症ごとに記憶している。一例として、検査判定情報ＤＢには、基準値が１、２の場合は感染が無、基準値が３以上の場合は感染が有、基準値が５の場合は程度が重症、のようなデータが予め記憶されている。
【００３８】
物品供給支援情報ＤＢ６２は、情報生成部（主に、行動規制情報生成部１０００、治療支援情報生成部１０１０、生命維持支援情報生成部１０２０）によって生成された情報を記憶する。なお、物品供給支援情報ＤＢ６２は、物品供給支援システム７２によって参照される。
【００３９】
感染統計情報ＤＢ６３は、情報生成部（主に、統計情報生成部１０４０）によって生成された情報を記憶する。感染統計情報ＤＢ６３は、感染統計情報提供システム７３によって参照される。
【００４０】
緊急搬送支援情報ＤＢ６４は、情報生成部（主に、緊急搬送支援情報生成部１０５０）によって生成された情報を記憶する。緊急搬送支援情報ＤＢ６４は、緊急搬送支援システム７４によって参照される。
【００４１】
続いて、外部のシステムについて説明する。物品供給支援システム７２は、当該システムに接続する装置（例えば、端末）に、物品供給支援情報ＤＢ６２に記憶された情報を提供するシステムである。従って、例えば、物流業者は、配送事業所内の装置から、物品供給支援システム７２を利用して、物品の供給に関する情報（例えば、配送予定）を確認することができる。物品供給支援システム７２に接続する装置を会員の装置に限定するようにしてもよい。
【００４２】
感染統計情報提供システム７３は、当該システムに接続する装置に、感染統計情報ＤＢ６３に記憶された情報を提供するシステムである。従って、例えば、国、地方公共団体、ＮＰＯなどは、夫々の装置から、感染統計情報提供システム７３を利用して、感染統計情報を確認することができる。感染統計情報提供システム７３に接続する装置を会員の装置に限定するようにしてもよい。
【００４３】
緊急搬送支援システム７４は、当該システムに接続する装置に、緊急搬送支援情報ＤＢ６４に記憶された情報を提供するシステムである。従って、例えば、国、地方公共団体、などは、夫々の装置から、緊急搬送支援システム７４を利用して、緊急搬送支援情報を確認することができる。緊急搬送支援システム７４に接続する装置を会員の装置に限定するようにしてもよい。
【００４４】
以下、感染拡大防止支援サーバ１０の受信部１１０についての説明を再開する。上述の如く、受信部１１０は、外部のＤＢから種々の情報を受信するが、例えば、受信部１１０は、感染判定部１２０、情報生成部、医薬品選定部１０６０又は出力部１４０の処理に必要となる情報であって、検査端末２０から受信した情報に含まれていなかった情報を、外部のＤＢにアクセスして受信する。なお、受信部１１０は、外部の情報生成部、医薬品選定部１０６０、又は、出力部１４０からの要求に応じて、外部のＤＢにアクセスし上記情報を受信してもよいし、検査端末２０から検査情報を取得したときに、外部のＤＢにアクセスし上記情報を受信してもよい。
【００４５】
例えば、受信部１１０は、検査端末２０からの送信情報が検査端末２０の位置情報を含まない送信情報（例えば、図２Ａに示す送信情報）であったときは、当該送信情報に含まれている端末ＩＤに対応付けられた位置情報（即ち、当該検査端末２０の位置情報）を端末位置情報ＤＢ５１から受信する。なお、被験者の位置情報として、検査端末２０（若しくは移動端末３０）の位置情報を用いる。
【００４６】
受信部１１０は、行動規制情報生成部１０００が移動制限情報（後述）を生成する場合、個人情報ＤＢ５２、端末位置情報ＤＢ５１、地図情報ＤＢ５４などに記憶された情報を受信する。
【００４７】
受信部１１０は、行動規制情報生成部１０００が感染の拡大防止に用いる物品（例えば、マスクや防護服、消毒液）の供給を支援するための物品供給支援情報を生成する場合、治療支援情報生成部１０１０が感染の治療に用いる物品（感染の治療に間接的に寄与する医療関連の物品を含む（例えば、医薬品、検査デバイス、体温計））の供給を支援するための物品供給支援情報を生成する場合、生命維持支援情報生成部１０２０が感染者やその家族の生命の維持に要する物品（水、食糧）の供給を支援するための物品供給支援情報を生成する場合、地図情報ＤＢ５４、物品情報等ＤＢ５６などに記憶された情報を受信する。
【００４８】
受信部１１０は、治療支援情報生成部１０１０等が、上述の注意事項行動指針情報、行動計画情報を生成する場合、注意情報等ＤＢ５７などに記憶された情報を受信する。また、受信部１１０は、緊急搬送支援情報生成部１０５０が、感染者の搬送を支援するための緊急搬送支援情報を生成する場合、地図情報ＤＢ５４などに記憶された情報を受信する。
【００４９】
受信部１１０は、情報生成部（行動規制情報生成部１０００、治療支援情報生成部１０１０、生命維持支援情報生成部１０２０、証明情報生成部１０３０、統計情報生成部１０４０及び緊急搬送支援情報生成部１０５０）、又は、医薬品選定部１０６０が被験者の属性情報を用いて出力情報を生成する場合（例えば、統計情報生成部１０４０が感染者である被験者の属性別に感染統計情報を生成する場合、医薬品選定部１０６０が感染者である被験者の属性を考慮して医薬品を選定する場合）において、検査端末２０からの送信情報が被験者の属性情報を含まない送信情報（例えば、図２Ａに示す送信情報）であったときは、当該送信情報に含まれている個人特定情報に対応付けられた属性情報を個人情報ＤＢ５２から受信する。
【００５０】
受信部１１０は、検査端末２０から受信した情報、詳細解析システム４０から受信した情報、及び、外部のＤＢから受信した情報を感染判定部１２０に供給する。なお、受信部１１０が検査端末２０から受信する検査端末２０の端末ＩＤは、被験者に関する情報の一例である。また、受信部１１０が検査端末２０又は外部のＤＢから受信する被験者の個人特定情報、被験者の属性情報、及び、端末（検査端末２０、移動端末３０）の位置情報（被験者の位置情報）は、被験者に関する情報の一例である。
【００５１】
感染判定部１２０は、受信部１１０から、受信部１１０が検査端末２０から受信した情報、受信部１１０が外部のＤＢから受信した情報、及び、受信部１１０が詳細解析システム４０から受信した情報を取得する。感染判定部１２０は、受信部１１０から取得した検査情報等を用いて、感染症の感染の有無又は程度を判定する。換言すれば、感染判定部１２０は、感染症に感染していない旨の判定、若しくは、感染している感染症の病名（感染の疑いのある感染症も含む）／症状を判定する。
【００５２】
なお、感染判定部１２０は、所定の検査内容（種類、レベル）に従って、感染症の感染の有無又は程度を判定する。一例として、感染判定部１２０は、受信部１１０から取得した情報に検査ＩＤが含まれている場合には、当該検査ＩＤによって特定される検査内容に従って、感染症の感染の有無又は程度を判定する。一方、感染判定部１２０は、受信部１１０から取得した情報に検査ＩＤが含まれていない場合には、例えば、検査情報から推定した検査内容、若しくは、予め定められた検査内容に従って、感染症の感染の有無又は程度を判定する。また、例えば、感染判定部１２０は、検査端末２０の検査情報と記憶部（例、検査判定情報ＤＢ５８）に記憶されている検査判定情報とを比較して感染症の感染の有無又は程度を判定する。一例として、感染判定部１２０は、検査判定情報ＤＢ５８に記憶されている検査判定情報としての所定のしきい値と検査端末２０の検査情報とを比較して、該検査情報が所定のしきい値以上の場合に所定の感染症に感染している（感染が有）と判定し、該検査情報が所定のしきい値より低い場合に所定の感染症に感染していない（感染が無）と判定する。また、例えば、感染判定部１２０は、検査判定情報ＤＢ５８に記憶されている検査判定情報としての所定の５段階の基準値と検査端末２０の検査情報とを比較して、該検査情報が基準値１や２に相当する場合に所定の感染症に感染していないと判定し、該検査情報が基準値３以上に相当する場合に所定の感染症に感染していると判定し、該検査情報が基準値５に相当する場合に感染症の症状が重症であると判定する。
【００５３】
また、感染判定部１２０は、受信部１１０が個人情報ＤＢ５２から受信した情報（例えば、性別、生年月日、病歴（本人及び家族）、医薬品の服用歴、家族構成等）を参照し、感染症の感染の有無又は程度を判定してもよい。
【００５４】
また、感染判定部１２０は、感染症の感染の有無又は程度の判定時において、受信部１１０を介して、上述の詳細検査要求を詳細解析システム４０に送信し、詳細解析システム４０から解析結果若しくは判定結果を受信してもよい。感染判定部１２０は、詳細解析システム４０から解析結果若しくは判定結果を受信した場合、当該解析結果若しくは判定結果を用いて感染症の感染の有無又は程度を判定する。また、感染判定部１２０は、感染症の感染の有無又は程度を判定として、詳細解析システム４０から受信した解析結果若しくは判定結果をそのまま用いてもよい。
【００５５】
感染判定部１２０は、感染症の感染の有無又は程度を判定した場合、受信部１１０が検査端末２０から受信した情報（検査情報を除く）、受信部１１０が外部のＤＢから受信した情報、及び、感染判定部１２０による判定結果である感染判定情報を、送受信制御部１３０、情報生成部（行動規制情報生成部１０００、治療支援情報生成部１０１０、生命維持支援情報生成部１０２０、証明情報生成部１０３０、統計情報生成部１０４０及び緊急搬送支援情報生成部１０５０）、及び、医薬品選定部１０６０に供給する。なお、感染判定情報は、感染症の感染の有無又は程度（感染症に感染していない旨の判定、若しくは、感染している感染症の病名（感染の疑いのある感染症も含む））／症状を表す情報である。
【００５６】
送受信制御部１３０は、感染判定部１２０から取得した情報を用いて、選択受信制御情報を生成する。例えば、送受信制御部１３０は、選択受信制御情報を生成するための、図３Ａに示すようなテーブルを保持し、感染判定部１２０から取得した情報（検査ＩＤ、個人特定情報、病名、症状）と、選択受信制御情報を生成するためのテーブルとを参照し、図３Ｂに示すような、選択受信制御情報を生成する。図３Ａに示すテーブルは、今回行った検査の検査ＩＤ、病名／症状に対応付けて、次回以降に行うべき１以上の検査の検査ＩＤを記憶している。図３Ｂに示す選択受信制御情報は、個人特定情報と、次回以降に行うべき１以上の検査の検査ＩＤとを含んでいる。送受信制御部１３０は、選択受信制御情報を生成した場合、生成した選択受信制御情報を受信部１１０に供給する。なお、受信部１１０は、当該選択受信制御情報を参照し、検査端末２０によって送信された情報のなかから個人特定情報と検査ＩＤの組み合せが一致する情報を選択的に受信する。
【００５７】
なお、送受信制御部１３０は、個人特定情報を含む選択受信制御情報に代えて、検査端末２０の端末ＩＤを含む選択受信制御情報（即ち、検査端末２０の端末ＩＤと、次回以降に行うべき１以上の検査の検査ＩＤとを含む選択受信制御情報）を生成してもよい。なお、送受信制御部が検査端末２０の端末ＩＤを含む選択受信制御情報を生成した場合、受信部１１０は、検査端末２０の端末ＩＤと検査ＩＤの組み合せが一致する情報を選択的に受信する。また、送受信制御部１３０は、感染判定情報（例えば、病名や症状）に応じて、検査端末２０の端末ＩＤを含む選択受信制御情報（例えば、個人特定情報を含まない情報）を生成して、選択的に情報を出力させてもよい。
【００５８】
医薬品選定部１０６０は、感染判定部１２０から取得する情報を用いて、感染の治療に用いる物品（感染の治療に間接的に寄与する医療関連の物品を含む、以下、同じ）を選定する。なお、医薬品選定部１０６０が「感染判定部１２０から取得する情報」は、上述の如く、検査端末２０から得られた情報（被験者に関する情報）、外部のＤＢから得られた情報（被験者に関する情報、地図情報などの被験者に関する情報以外の情報）、及び、感染判定情報である。そして、外部のＤＢから得られた情報（地図情報などの被験者に関する情報以外の情報）は、検査端末２０から得られた情報（被験者に関する情報）又は感染判定情報に基づいて得られたものである。従って、「感染判定部１２０から取得する情報を用いて、感染の治療に用いる物品を選定する」は、「感染判定情報と被験者に関する情報とに基づいて、感染の治療に用いる物品を選定する」と同じである。
【００５９】
例えば、医薬品選定部１０６０は、病名／症状と医薬品とを対応付けたテーブルを保持し、当該テーブル、感染判定情報、個人情報ＤＢ５２の情報（例えば、病歴（本人及び家族）、医薬品の服用歴）などに基づいて、感染の治療に用いる物品（例えば、医薬品、検査デバイス、体温計）の種類、数量を選定する。
【００６０】
また、医薬品選定部１０６０は、感染の治療に用いる物品に加えて、感染の拡大防止に用いる物品（例えば、マスク、防護服、消毒薬）、及び、感染者やその家族の生命の維持に要する物品（例えば、水、食糧）の種類、数量を選定する。
【００６１】
医薬品選定部１０６０は、選定した物品の種類、数量を含む物品選定情報を、情報生成部（行動規制情報生成部１０００、治療支援情報生成部１０１０、生命維持支援情報生成部１０２０、証明情報生成部１０３０、統計情報生成部１０４０及び緊急搬送支援情報生成部１０５０）、又は、出力部１４０に出力する。
【００６２】
情報生成部（行動規制情報生成部１０００、治療支援情報生成部１０１０、生命維持支援情報生成部１０２０、証明情報生成部１０３０、統計情報生成部１０４０及び緊急搬送支援情報生成部１０５０）は、感染判定部１２０、又は、医薬品選定部１０６０から取得する情報を用いて種々の情報を生成する。
【００６３】
なお、「医薬品選定部１０６０から取得する情報」は、元々は「感染判定部１２０から取得する情報」に基づいて得られた情報である。従って、「感染判定部１２０、又は、医薬品選定部１０６０から取得する情報を用いて種々の情報を生成する」は、「感染判定情報と被験者に関する情報とに基づいて種々の情報を生成する」と同じである。
【００６４】
行動規制情報生成部１０００は、感染判定情報と被験者に関する情報とに基づいて被験者のうち感染症の感染者を特定し、特定した感染者の行動を規制するための行動規制情報を生成する。例えば、行動規制情報生成部１０００は、行動規制情報として、感染者の移動可能範囲を示す移動制限情報を生成する。また、行動規制情報生成部１０００は、例えば、図４Ａに示すような、当該移動制限情報を送信する送信先端末の端末ＩＤ、感染者と判定された被験者の氏名、及び、中心座標と半径とによって規定された移動可能範囲を含む、移動制限情報を生成する。
【００６５】
なお、図４Ａの移動制限情報に含まれる「送信先端末の端末ＩＤ」は、検査情報の送信元である検査端末２０の端末ＩＤ（被験者に関する情報）、又は／及び、当該感染者と判定された被験者の所持する移動端末３０の端末ＩＤ（被験者に関する情報）である。
【００６６】
また、行動規制情報生成部１０００は、病名／症状（感染判定情報）、及び、検査端末２０又は移動端末３０の位置情報である被験者の位置情報（被験者に関する情報）に基づいて、図４Ａの移動制限情報に含まれる「移動可能範囲」を決定する。例えば、行動規制情報生成部１０００は、病名／症状毎の移動可能距離を示すテーブルを保持し、当該テーブル、感染判定情報、被験者の位置情報、地図情報ＤＢ５４の情報などに基づいて、移動可能範囲を決定する。
【００６７】
なお、行動規制情報生成部１０００は、図４Ａに示すような移動制限情報に代えてまたは加えて、図４Ｂに示すような、当該移動制限情報を送信する送信先端末の端末ＩＤ、感染者と判定された被験者の氏名、市町村コードによって規定される移動可能範囲を含む、移動制限情報を生成してもよい。
【００６８】
また、行動規制情報生成部１０００は、行動規制情報として、被験者やその家族へ提供する注意事項又は行動指針を示す注意事項行動指針情報を生成する。例えば、行動規制情報生成部１０００は、上述の如く、病名／症状（感染判定情報）、及び、被験者の位置情報（被験者に関する情報）から移動可能範囲を決定し、当該範囲を超えて外出することを禁止する旨のメッセージ情報を生成する。
【００６９】
また、行動規制情報生成部１０００は、行動規制情報として、感染症の拡大を防止する当局の行動計画を示す行動計画情報を生成する。例えば、行動規制情報生成部１０００は、複数の被験者の感染判定情報、注意情報等ＤＢ５７の情報などに基づいて、行動計画情報を生成する。
【００７０】
更に、行動規制情報生成部１０００は、感染判定情報と被験者に関する情報とに基づいて、感染の拡大防止に用いる物品（例えば、マスク、防護服や消毒液）の供給を支援するための物品供給支援情報を生成する。例えば、行動規制情報生成部１０００は、感染判定情報、被験者の位置情報、地図情報ＤＢ５４の情報、物品情報等ＤＢ５６の情報などに基づいて、物品供給支援情報を生成する。例えば、行動規制情報生成部１０００は、図４Ｃに示すような、感染者と判定された被験者の氏名及び住所、供給先の住所、供給する物品名、供給日を含む、物品供給支援情報を生成する。なお、行動規制情報生成部１０００は、医薬品選定部１０６０から取得した情報（物品選定情報）に基づいて、供給する物品を決定する。また、行動規制情報生成部１０００は、感染症の拡大を防止する観点から、感染の拡大防止に用いる物品の供給先を決定することが好ましい。
【００７１】
また、行動規制情報生成部１０００は、感染判定情報と被験者に関する情報とに基づいて、感染者の行動規制を解除するための行動規制解除情報を生成する。例えば、行動規制情報生成部１０００は、図４Ａ、図４Ｂの移動制限情報を送信した端末に送信するための、移動可能範囲の制限が解除された旨のメッセージ情報を生成する。また例えば、例えば、行動規制情報生成部１０００は、移動可能範囲を無限大とした移動制限情報を生成する。
【００７２】
なお、行動規制情報生成部１０００は、感染判定情報と、被験者の属性情報を含む被験者に関する情報とに基づいて、被験者の属性に応じた行動規制情報を生成するようにしてもよい。例えば、行動規制情報生成部１０００は、病名／症状毎、被験者の属性毎の移動可能距離を示すテーブルを保持し、当該テーブル、感染判定情報、被験者の位置情報、地図情報ＤＢ５４の情報などに基づいて、移動制限情報を生成する。同様に、行動規制情報生成部１０００は、被験者の属性に応じた注意事項行動指針情報、行動計画情報、物品供給支援情報を生成するようにしてもよい。
【００７３】
治療支援情報生成部１０１０は、感染判定情報と被験者に関する情報とに基づいて被験者のうち感染症の感染者を特定し、特定した感染症の治療を支援するための治療支援情報を生成する。例えば、治療支援情報生成部１０１０は、治療支援情報として、感染の治療に用いる物品（感染の治療に間接的に寄与する医療関連の物品を含む（例えば、医薬品、検査デバイス、体温計））の供給を支援するための物品供給支援情報を生成する。治療支援情報生成部１０１０が感染の治療に用いる物品の供給を支援するための物品供給支援情報を生成する方法は、行動規制情報生成部１０００が感染の拡大防止に用いる物品の供給を支援するため物品供給支援情報を生成する方法と同様である。なお、治療支援情報生成部１０１０は、感染症の拡大を防止する観点からも、感染の治療に用いる物品の供給先を決定することが好ましい。
【００７４】
また、治療支援情報生成部１０１０は、治療支援情報として、感染者やその家族へ提供する注意事項又は行動指針を示す注意事項行動指針情報、感染症の治療する当局の行動計画を示す行動計画情報を生成する。なお、治療支援情報生成部１０１０が注意事項行動指針情報及び行動計画情報を生成する方法は、行動規制情報生成部１０００が注意事項行動指針情報及び行動計画情報と同様である。
【００７５】
なお、治療支援情報生成部１０１０は、行動規制情報生成部１０００と同様に、感染判定情報と、被験者の属性情報を含む被験者に関する情報とに基づいて、被験者の属性に応じた治療支援情報を生成するようにしてもよい。
【００７６】
生命維持支援情報生成部１０２０は、感染判定情報と被験者に関する情報とに基づいて被験者のうち感染症の感染者を特定し、特定した感染者の生命維持を支援するための生命維持支援情報を生成する。例えば、生命維持支援情報生成部１０２０は、生命維持支援情報として、感染者の生命の維持に要する物品（例えば、水、食糧）の供給を支援するための物品供給支援情報を生成する。生命維持支援情報生成部１０２０が感染者やその家族の生命の維持に要する物品の供給を支援するための物品供給支援情報を生成する方法は、行動規制情報生成部１０００が感染の拡大防止に用いる物品の供給を支援するため物品供給支援情報を生成する方法と同様である。なお、生命維持支援情報生成部１０２０は、感染症の拡大を防止する観点からも、感染者の生命の維持に要する物品の供給先を決定することが好ましい。
【００７７】
また、生命維持支援情報生成部１０２０は、生命維持支援情報として、感染者やその家族へ提供する注意事項又は行動指針を示す注意事項行動指針情報、感染症の治療する当局の行動計画を示す行動計画情報を生成する。なお、生命維持支援情報生成部１０２０が注意事項行動指針情報及び行動計画情報を生成する方法は、行動規制情報生成部１０００が注意事項行動指針情報及び行動計画情報と同様である。
【００７８】
なお、生命維持支援情報生成部１０２０は、行動規制情報生成部１０００と同様に、感染判定情報と、被験者の属性情報を含む被験者に関する情報とに基づいて、被験者の属性に応じた生命維持支援情報を生成するようにしてもよい。
【００７９】
証明情報生成部１０３０は、感染判定情報と被験者に関する情報とに基づいて、判定結果（感染判定情報）と判定日時とを含む証明情報を生成する。例えば、証明情報生成部１０３０は、図４Ｄに示すような、当該証明情報を送信する送信先端末の端末ＩＤ、感染者と判定された被験者の氏名、判定結果、判定日時、有効期限を含む、証明情報を生成する。なお、証明情報に含まれる有効期限については、判定結果（病名／症状）に基づいて決定する。
【００８０】
統計情報生成部１０４０は、感染判定情報と被験者に関する情報とに基づいて被験者のうち感染症の感染者を特定し、感染統計情報を生成する。例えば、統計情報生成部１０４０は、図５Ａに示すような、地域別に、病名毎の感染人数を集計した感染統計情報を生成する。また例えば、統計情報生成部１０４０は、図５Ｂに示すような、地域別、感染者である被験者の属性別に、病名毎の感染人数を集計した感染統計情報を生成してもよい。また例えば、統計情報生成部１０４０は、病名毎の感染人数を集計した感染統計情報に代えて、病名毎、症状毎の感染人数を集計した感染統計情報（非図示）を生成してもよい。また例えば、感染統計情報を会員に提供する場合、統計情報生成部１０４０は、会員毎に集計項目を変えて、感染統計情報（非図示）を生成してもよいし、会員毎に生成頻度、生成時刻を変えて、感染統計情報を生成してもよい。
【００８１】
緊急搬送支援情報生成部１０５０は、感染判定情報と被験者に関する情報とに基づいて被験者のうち感染症の感染者を特定し、特定した感染者の搬送を支援するための緊急搬送支援情報を生成する。例えば、緊急搬送支援情報生成部１０５０は、図４Ｅに示すような、感染者と判定された被験者の氏名、現在位置、搬送先の医療機関、判定結果を含む、緊急搬送支援情報を生成する。なお、緊急搬送支援情報に含まれる搬送先については、感染判定情報、被験者の位置情報、地図情報ＤＢ５４の情報などに基づいて決定する。
【００８２】
情報生成部（行動規制情報生成部１０００、治療支援情報生成部１０１０、生命維持支援情報生成部１０２０、証明情報生成部１０３０、統計情報生成部１０４０及び緊急搬送支援情報生成部１０５０）は、感染判定部１２０から取得した情報、及び、生成した各情報を出力部１４０に供給する。
【００８３】
出力部１４０は、行動規制情報生成部１０００から移動制限情報を取得した場合、送信先端末（検査端末２０、移動端末３０）に当該移動制限情報を送信する。なお、移動制限情報を受信した端末は、当該移動制限情報に基づく移動可能範囲を示す情報を出力部２５０に表示する。例えば、検査端末２０（移動端末３０）は、図４Ａに示すような、移動制限情報を受信した場合、図６に示すような、移動可能範囲を示す情報を出力部２５０（出力部３３０）に表示する。なお、図６において、星印は、感染者と判定された被験者の現在位置、星印を囲む円は移動可能範囲を表している。また例えば、検査端末２０（移動端末３０）は、図４Ｂに示すような、移動制限情報を受信した場合、図７Ａに示すような、移動可能範囲を示す情報を出力部２５０（出力部３３０）に表示する。
【００８４】
なお、出力部１４０は、行動規制情報の提供を受ける会員に関する会員情報であって各会員によって指定された指定地域及び指定出力先を含む会員情報に基づいて、当該会員の指定端末（非図示）に、当該指定地域内の被験者の行動規制情報等を出力してもよい。なお、出力部１４０は、会員の指定端末に送信する情報に被験者を特定できる情報（例えば、名前）が含まれている場合（例えば、図２Ａの移動制御情報）、当該被験者を特定できる情報を秘匿化（例えば、削除）し、会員の端末（非図示）に送信してもよい。
【００８５】
また、出力部１４０は、行動規制情報生成部１０００（治療支援情報生成部１０１０、生命維持支援情報生成部１０２０も同様）から注意事項行動指針情報を取得した場合、送信先端末（検査端末２０、移動端末３０）に当該注意事項行動指針情報を送信する。なお、注意事項行動指針情報を受信した端末は、当該注意事項行動指針情報を出力部２５０（出力部３３０）に表示する。例えば、検査端末２０（移動端末３０）は、図７Ｂに示すような、注意事項を出力部２５０（出力部３３０）に表示する。なお、行動規制情報生成部１０００が、日本語を理解できない外国人、障害者用（例えば、外国語、音声、点字）の注意事項行動指針情報を生成した場合、検査端末２０（移動端末３０）は、日本語を理解できない外国人、障害者用の注意事項行動指針情報を表示する。また、出力部１４０は、行動規制情報生成部１０００から行動計画情報を取得した場合、当局の端末（非図示）に当該行動計画情報を送信する。
【００８６】
また、出力部１４０は、行動規制情報生成部１０００（治療支援情報生成部１０１０、生命維持支援情報生成部１０２０も同様）から物品供給支援情報を取得した場合、当該物品供給支援情報を物品供給支援情報ＤＢ６２に記憶（登録）する。なお、物品供給支援システム７２は、物品供給支援システム７２の利用者の端末に、物品供給支援情報ＤＢ６２に記憶された物品供給支援情報を出力する。なお、当該利用者の端末は、例えば、図７Ｃに示すような、物品供給支援情報を表示する。なお、物品供給支援システム７２の利用が会員（例えば、医薬品、水、食糧などの物品の供給をコントロールする当局、当該物品の供給に関連する物流業者）に限定されている場合、物品供給支援情報の利用は会員に限定されるが、物品供給支援情報の利用を会員に限定する方法はこれに限定されない。例えば、出力部１４０は、物品供給支援情報の提供を受ける会員に関する会員情報であって各会員によって指定された指定地域及び指定出力先を含む会員情報に基づいて、当該会員の指定端末（非図示）に、当該指定地域内の被験者の物品供給支援情報を出力してもよい。
【００８７】
また、出力部１４０は、行動規制情報生成部１０００から行動規制解除情報を取得した場合、送信先端末（検査端末２０、移動端末３０）に当該行動規制解除情報を送信する。
【００８８】
また、出力部１４０は、証明情報生成部１０３０から証明情報を取得した場合、送信先端末（検査端末２０、移動端末３０）に当該証明情報を送信する。なお、証明情報を受信した端末は、当該証明情報を出力部２５０（出力部３３０）に表示する。例えば、検査端末２０（移動端末３０）は、図７Ｄに示すような、証明情報を出力部２５０（出力部３３０）に表示する。なお、出力部１４０は、当局の端末（非図示）に証明情報を送信してもよい。
【００８９】
また、出力部１４０は、統計情報生成部１０４０から感染統計情報を取得した場合、当該感染統計情報を感染統計情報ＤＢ６３に登録（記憶）する。なお、感染統計情報提供システム７３は、感染統計情報提供システム７３の利用者の端末に、感染統計情報ＤＢ６３に記憶された感染統計情報を出力する。なお、当該利用者の端末は、例えば、感染統計情報を表示してもよいし、図８に示すような、感染統計情報に基づく感染者の分布を表示してもよい。図８は、ある感染症について、感染者の属性別（丸印、四角印、三角印）、症状別（黒印、白印）に感染者の分布を表示している。なお、感染統計情報提供システム７３の利用が会員（例えば、統計情報を利用する当局、調査会社）に限定されている場合、感染統計情報の利用は会員に限定されるが、感染統計情報の利用を会員に限定する方法はこれに限定されない。例えば、出力部１４０は、感染統計情報の提供を受ける会員に関する会員情報であって各会員によって指定された指定地域及び指定出力先を含む会員情報に基づいて、当該会員の指定端末（非図示）に、当該指定地域について集計された感染統計情報を出力してもよい。
【００９０】
また、出力部１４０は、緊急搬送支援情報生成部１０５０から緊急搬送支援情報を取得した場合、当該緊急搬送支援情報を緊急搬送支援情報ＤＢ６４に登録（記憶）する。なお、緊急搬送支援システム７４は、緊急搬送支援システム７４の利用者の端末に、を緊急搬送支援情報ＤＢ６４に記憶された緊急搬送支援情報を出力する。なお、緊急搬送支援システム７４の利用が会員（例えば、当局、委託会社）に限定されている場合、緊急搬送支援情報の利用は会員に限定されるが、緊急搬送支援情報の利用を会員に限定する方法はこれに限定されない。例えば、出力部１４０は、緊急搬送支援情報の提供を受ける会員に関する会員情報であって各会員によって指定された指定地域及び指定出力先を含む会員情報に基づいて、当該会員の指定端末（非図示）に、指定地域内の緊急搬送支援情報を出力してもよい。
【００９１】
また、出力部１４０は、医薬品選定部１０６０から物品選定情報を取得した場合、当該物品選定情報を、送信先端末（検査端末２０、移動端末３０）に、当該証明情報を送信する。なお、出力部１４０は、会員情報に基づいて、会員（例えば、医薬品、水、食糧などの物品の供給をコントロールする当局、当該物品の供給に関連する物流業者）の指定端末（非図示）に、物品選定情報を送信してもよい。また、出力部１４０は、会員の指定する地域に係る物品選定情報を送信してもよい。
【００９２】
以下、図９を用いて、感染拡大防止支援システム１の処理の流れを説明する。なお、図９に示すフローチャートは、図１の構成において、感染拡大防止支援サーバ１０が行動規制情報を生成し、生成した行動規制情報を検査端末２０に送信する例である。また、図９の左側は検査端末２０、右側は感染拡大防止支援サーバ１０の処理を示している。
【００９３】
検査端末２０の検査情報取得部２２０は、感染症の感染を検査するための検査情報を取得する（ステップＳ１００）。検査端末２０の送受信部２３０は、検査情報を感染拡大防止支援サーバ１０に送信する（ステップＳ１１０）。なお、検査端末２０の送受信部２３０は、入力受付部２１０から入力情報を取得していた場合、当該入力情報とともに検査情報を感染拡大防止支援サーバ１０に送信する。
【００９４】
感染拡大防止支援サーバ１０の受信部１１０は、検査端末２０によって送信された情報を受信する（ステップＳ２００）。感染拡大防止支援サーバ１０の受信部１１０は、行動規制情報を生成するために必要な情報を外部のＤＢから受信する（ステップＳ２１０）。
感染拡大防止支援サーバ１０の感染判定部１２０は、感染症の感染の有無又は程度を判定する（ステップＳ２２０）。感染拡大防止支援サーバ１０の行動規制情報生成部１０００は、感染判定情報と被験者に関する情報とに基づいて、感染者の行動を規制するための行動規制情報を生成する（ステップＳ２３０）。感染拡大防止支援サーバ１０の出力部１４０は、行動規制情報を検査端末２０に送信する（ステップＳ２４０）。
【００９５】
検査端末２０の送受信部２３０は、感染拡大防止支援サーバ１０によって送信された行動規制情報を受信する（ステップＳ１２０）。検査端末２０の出力部２５０は、行動規制情報を表示する（ステップＳ１３０）。そして、本フローチャートは終了する。
【００９６】
以上、第１の実施形態によれば、感染症の拡大防止を支援することができるようになる。即ち、第１の実施形態によれば、行動規制情報を用いて感染者の行動を規制することによって、又は、治療支援情報を用いて感染症の治療を促進することによって、感染症の拡大を防止することができるようになる。更に、本発明によれば、感染症の拡大を防止する観点から、感染者の生命の維持に要する物品の供給先をコントロールすることによって、感染症の拡大を防止することができるようになる。
【００９７】
なお、感染拡大防止支援サーバ１０と検査端末２０との間の情報の送受信を制御する態様として、感染拡大防止支援サーバ１０の送受信制御部１３０が、感染判定部１２０から取得した情報を用いて、受信部１１０が検査端末２０によって送信された情報を選択的に受信するための選択受信制御情報を生成する態様を説明したが、感染拡大防止支援サーバ１０と検査端末２０との間の情報の送受信を制御する態様はこれに限定されない。例えば、送受信制御部１３０は、感染判定部１２０から取得した情報を用いて、検査端末２０が感染拡大防止支援サーバ１０によって受信される情報（即ち、感染拡大防止支援サーバ１０に送信する情報）を選択的に送信するための選択送信制御情報（内容は選択受信制御情報と同様）を生成してもよい。送受信制御部１３０が選択送信制御情報を生成する態様の場合、送受信制御部１３０は、選択送信制御情報を、出力部１４０を介して検査端末２０に送信する。選択送信制御情報を受信した検査端末２０の送受信部２３０は、当該選択送信制御情報を参照し、検査情報取得部２２０から取得した情報のなかから個人特定情報と検査ＩＤの組み合せが一致する情報を選択的に感染拡大防止支援サーバ１０に送信する。
【００９８】
また、上記説明において、検査端末２０の検査情報取得部２２０が、被験者を特定する個人特定情報（例えば、ＤＮＡに関する情報）を含む検査情報を取得する態様も説明したが、当該態様の場合において、感染拡大防止支援サーバ１０の感染判定部１２０は、個人情報ＤＢ５２に予め記憶されている被験者の個人特定情報（生体認証情報として利用するＤＮＡに関する情報）と、検査端末２０から受信した検査情報から得られる個人特定情報とに基づいて被験者の本人確認処理を実行し、認証された場合に、感染の有無又は程度を判定するようにしてもよい。なお、感染拡大防止支援サーバ１０の感染判定部１２０は、個人情報ＤＢ５２に予め記憶されている被験者の個人特定情報のパスワードと、検査端末２０から受信したパスワード（入力受付部２１０が受け付けたパスワード）とに基づいて被験者の本人確認処理を実行してもよい。
【００９９】
また、上記説明において、検査端末２０は、検査デバイス８０を装着する装着部を備え、検査デバイス８０から検査情報を取得すると説明したが、検査端末２０は、他の装置によって取得された検査情報を、有線又は無線通信によって、又は、ＵＳＢメモリなどの媒体を介して、取得してもよい。
【０１００】
また、第１の実施形態においては、感染拡大防止支援サーバ１０の外部に、端末位置情報ＤＢ５１、個人情報ＤＢ５２、会員情報ＤＢ５３、地図情報ＤＢ５４、物品情報等ＤＢ５６、注意情報等ＤＢ５７、検査判定情報ＤＢ５８、物品供給支援情報ＤＢ６２、感染統計情報ＤＢ６３及び緊急搬送支援情報ＤＢ６４が存在する構成を説明したが、感染拡大防止支援サーバ１０が、上記ＤＢのうちの何れか１又２つ以上を備える構成としてもよい（後述する他の実施形態における感染拡大防止支援サーバについても同様である）。また、第１の実施形態においては、感染拡大防止支援サーバ１０の外部に、詳細解析システム４０、物品供給支援システム７２、感染統計情報提供システム７３、緊急搬送支援システム７４が存在する構成を説明したが、感染拡大防止支援サーバ１０が、上記システムのうちの何れか１又２つ以上を備える構成としてもよい（後述する他の実施形態における感染拡大防止支援サーバについても同様である）。
【０１０１】
（第２の実施形態）
以下、図面を参照しながら本発明の第２の実施形態について説明する。図１０は、本発明の第２の実施形態による感染拡大防止支援システムを含むシステムの概念図である。図１１Ａ〜図１１Ｈ及び図１２Ａ〜図１２Ｃは、第２の実施形態による感染拡大防止支援システムを説明するための説明図である。第２の実施形態による感染拡大防止支援システム２は、図１０に示すように、相互に通信する感染拡大防止支援サーバ１１と検査端末２１とから構成される。
【０１０２】
図１０に示す、端末位置情報ＤＢ５１、個人情報ＤＢ５２、会員情報ＤＢ５３、地図情報ＤＢ５４、設備情報ＤＢ５５、物品情報等ＤＢ５６、注意情報等ＤＢ５７、検査判定情報ＤＢ５８、物品供給支援情報ＤＢ６２、感染統計情報ＤＢ６３、緊急搬送支援情報ＤＢ６４は何れも、感染拡大防止支援システム２の外部のＤＢである。また、詳細解析システム４０、行動規制支援システム７１、物品供給支援システム７２、感染統計情報提供システム７３、緊急搬送支援システム７４は何れも、感染拡大防止支援システム２の外部のＤＢである。なお、設備情報ＤＢ５５以外の外部のＤＢ、及び、行動規制支援システム７１以外の外部のシステムは、本発明の第１の実施形態において説明したものと同一である。
【０１０３】
図１０に示す移動端末３１は、感染拡大防止支援システム２の外部の端末である。移動端末３１の一例は、本発明の第１の実施形態において説明した移動端末３０と同様、必ずしも通話機能を有する必要は無く、上述の如く、受信情報を出力する機器（例えば、カード形状の機器）であってもよい。
【０１０４】
移動端末３１は、記憶部３００、送受信部３１０、許否判定部３２０、及び、出力部３３０を備える。移動端末３１は、記憶部３００及び許否判定部３２０を備える点が、第１の実施形態において説明した移動端末３０と異なる。また、移動端末３１の出力部３３０は、表示機能、音声出力機能、点灯機能、及び、振動機能などを有する。
【０１０５】
設備情報ＤＢ５５は、主に、感染拡大防止支援サーバ１１に提供する情報を記憶する。一例として、設備情報ＤＢ５５は、所定の設備の位置情報及び識別情報（設備ＩＤ）を記憶する。所定の設備の一例は、電子制御によって自動開閉するドア（例えば、建物の出入口の自動ドア）、ゲート（例えば、旅客会社の設置した自動改札機）、電子制御により自動制御される監視カメラである。
【０１０６】
行動規制支援システム７１は、人の通行又は入退場の規制、又は、人の監視を支援するシステムである。行動規制支援システム７１は、人の通行又は入退場を規制するための所定の設備の設備ＩＤを記憶するとともに、所定の設備の駆動を制御する。また、行動規制支援システム７１は、人を監視するための所定の設備の設備ＩＤを記憶するとともに、所定の設備の駆動を制御する。所定の設備の一例は、電子制御によって自動開閉するドア（例えば、建物の出入口の自動ドア）、ゲート（例えば、旅客会社の設置した自動改札機）、電子制御により自動制御される監視カメラである。
【０１０７】
感染拡大防止支援サーバ１１は、行動規制情報生成部１０００に代えて、行動規制情報生成部１００１を備える点が、第１の実施形態による感染拡大防止支援サーバ１０と異なる。従って、感染拡大防止支援サーバ１０と共通する部分については説明の一部又は全部を省略する。
【０１０８】
行動規制情報生成部１００１は、感染判定情報と被験者に関する情報とに基づいて被験者のうち感染症の感染者を特定し、特定した感染者の行動を規制するための行動規制情報を生成する。例えば、行動規制情報生成部１００１は、行動規制情報として、感染者の進入又は滞在を規制する進入滞在規制情報、又は、被験者の医療機関への入退場を規制する入退場規制支援情報を生成する。
【０１０９】
また、行動規制情報生成部１００１は、例えば、図１１Ａに示すような、当該進入滞在規制情報を送信する送信先端末の端末ＩＤ、及び、中心座標と半径とによって規定された移動可能範囲を含む、進入滞在規制情報を生成する。なお、図１１Ａの進入滞在規制情報に含まれる「送信先端末の端末ＩＤ」は、検査情報の送信元である検査端末２１の端末ＩＤ（被験者に関する情報）、又は／及び、当該感染者と判定された被験者の所持する移動端末３１の端末ＩＤ（被験者に関する情報）である。また、図１１Ａの進入滞在規制情報に含まれる「移動可能範囲」は、病名／症状（感染判定情報）、及び、検査端末２１又は移動端末３１の位置情報である被験者の位置情報（被験者に関する情報）に基づいて決定する。
【０１１０】
また例えば、行動規制情報生成部１００１は、図１１Ａに示すような進入滞在規制情報に代えてまたは加えて、図１１Ｂに示すような、当該進入滞在規制情報を送信する送信先端末の端末ＩＤ、及び、進入不可施設の設備ＩＤを含む、進入滞在規制情報を生成する。
なお、行動規制情報生成部１００１は、病名／症状（感染判定情報）、及び、検査端末２１又は移動端末３１の位置情報である被験者の位置情報（被験者に関する情報）に基づいて、図１１Ｂの進入滞在規制情報に含まれる「進入不可施設」を決定する。例えば、行動規制情報生成部１００１は、病名／症状毎の移動可能距離を示すテーブルを保持し、当該テーブル、感染判定情報、被験者の位置情報、地図情報ＤＢ５４の情報、設備情報ＤＢ５５の情報などに基づいて、進入不可施設を決定する。
【０１１１】
行動規制情報生成部１００１は、図１１ＡＢに示すような進入滞在規制情報に代えてまたは加えて、図１１Ｃに示すような、入場不可の施設の設備ＩＤを含む入退場規制支援情報、又は、図１１Ｄに示すような、退場不可の施設の設備ＩＤを含む入退場規制支援情報を生成する。なお、行動規制情報生成部１００１は、病名／症状毎の移動可能距離を示すテーブルを保持し、当該テーブル、感染判定情報、被験者の位置情報、地図情報ＤＢ５４の情報、設備情報ＤＢ５５の情報などに基づいて、図１１Ｃの入退場規制支援情報に含まれる「入場不可施設」、及び、図１１Ｄの入退場規制支援情報に含まれる「退場不可施設」を決定する。
【０１１２】
行動規制情報生成部１００１は、感染判定部１２０から取得した情報、及び、生成した行動規制情報（進入滞在許否情報、進入滞在許否情報）を出力部１４０に供給する。
【０１１３】
出力部１４０は、行動規制情報生成部１００１から取得した情報を、送信先端末（検査端末２０、移動端末３０）に送信する。
【０１１４】
検査端末２１は、記憶部２００及び許否判定部２４０を備える点が、本発明の第１の実施形態による感染拡大防止支援システム１を構成する検査端末２０と異なる。従って、検査端末２０と共通する部分については説明の一部又は全部を省略する。
【０１１５】
送受信部２３０は、感染拡大防止支援サーバ１１等から種々の情報を受信する。例えば、送受信部２３０は、感染拡大防止支援サーバ１１から、図１１ＡＢに示すような進入滞在規制情報、又は、図１１ＣＤに示すような入退場規制支援情報を受信する。送受信部２３０は、受信した進入滞在規制情報又は入退場規制支援情報を記憶部２００に記憶する。
【０１１６】
記憶部２００は、受信部２３０によって受信された進入滞在規制情報又は入退場規制支援情報を記憶する。即ち、例えば、受信部２３０が図１１Ａに示すような進入滞在規制情報を受信した場合、記憶部２００は、図１１Ｅに示すような、進入滞在規制情報を記憶する。また例えば、受信部２３０が図１１Ｂに示すような進入滞在規制情報を受信した場合、記憶部２００は、図１１Ｆに示すような、進入滞在規制情報を記憶する。また例えば、受信部２３０が図１１Ｃに示すような入退場規制支援情報を受信した場合、記憶部２００は、図１１Ｇに示すような、入退場規制支援情報を記憶する。また例えば、受信部２３０が図１１Ｄに示すような入退場規制支援情報を受信した場合、記憶部２００は、図１１Ｈに示すような、入退場規制支援情報を記憶する。
【０１１７】
許否判定部２４０は、記憶部２００に記憶されている行動規制情報（進入滞在規制情報、入退場規制支援情報）に基づいて、進入許否、滞在許否又は入退場許否を判定する。
【０１１８】
例えば、許否判定部２４０は、当該検査端末２１の現在位置（地図上の位置）と、例えば、図１１Ｅに示す移動可能範囲とを参照し、当該検査端末２１が移動可能範囲内に存在すると判断したときは当該場所の滞在を許可する旨の判定を行い、当該検査端末２１が移動可能範囲内に存在しないと判断したときは当該場所の滞在を許可しない旨の判定を行う。
【０１１９】
また例えば、送受信部２３０は、行動規制支援システム７１によって制御される設備（例えば、改札機）から、当該設備の設備ＩＤを受信し、許否判定部２４０に供給する。許否判定部２４０は、送受信部２３０から取得した当該設備の設備ＩＤが、記憶部２００に記憶されている進入不可施設の設備ＩＤ（図１１Ｆ）と一致しないと判断したときは進入（例えば、改札機の通過）を許可する旨の判定を行い、一致したと判断したときは進入を許可しない旨の判定を行う。
【０１２０】
また例えば、送受信部２３０は、行動規制支援システム７１によって制御される設備（例えば、病院のドア（屋外側に面した通信部））から、当該設備の設備ＩＤを受信し、許否判定部２４０に供給する。許否判定部２４０は、上記と同様、送受信部２３０から取得した当該設備の設備ＩＤが、記憶部２００に記憶されている入場不可施設の設備ＩＤ（図１１Ｇ）と一致しないと判断したときは入場（病院への入場）を許可する旨の判定を行い、一致したと判断したときは入場を許可しない旨の判定を行う。
【０１２１】
また例えば、送受信部２３０は、行動規制支援システム７１によって制御される設備（例えば、病院のドア（屋内側に面した通信部））から、当該設備の設備ＩＤを受信し、許否判定部２４０に供給する。許否判定部２４０は、上記と同様、送受信部２３０から取得した当該設備の設備ＩＤが、記憶部２００に記憶されている退場不可施設の設備ＩＤ（図１１Ｈ）と一致しないと判断したときは退場（病院からの退場）を許可する旨の判定を行い、一致したと判断したときは退場を許可しない旨の判定を行う。
【０１２２】
許否判定部２４０は、上記判定の結果である許否判定情報を出力部２５０に供給する。許否判定部２４０から許否判定情報を取得した出力部２５０は、当該検査端末２１の操作者に判定結果を報知するとともに、許否判定情報を行動規制支援システム７１に送信する。なお、行動規制支援システム７１は、許否判定情報の内容（許可／不許可）に応じて、設備（例えば、改札機、病院のドア）を制御する。
【０１２３】
なお、出力部２５０は、判定結果の報知として、例えば、不許可である旨の許否判定情報を許否判定部２４０から取得した場合、進入できない旨、滞在できない旨、入退場ができない旨を報知する判定結果報知部を構成してもよい。例えば、出力部２５０は、図１２Ａ〜図１２Ｃに示すような、種々のメッセージを表示する。なお、出力部２５０は、進入できない旨、滞在できない旨、入退場ができない旨を音声によって報知してもよいし、当該検査端末２１の本体上のＬＥＤを発行させて、又は、当該検査端末２１の本体を振動させて報知してもよい。
【０１２４】
移動端末３１は、記憶部３００及び許否判定部３２０を備える点が、本発明の第１の実施形態による移動端末３０と異なる。なお、移動端末３１の記憶部３００、許否判定部３２０及び出力部３３０は、上述の検査端末２１の記憶部２００、許否判定部２４０及び出力部２５０と同様である。
【０１２５】
即ち、移動端末３１の送受信部３１０は、感染拡大防止支援サーバ１１から進入滞在規制情報又は入退場規制支援情報を受信し、記憶部３００に記憶する。移動端末３１の許否判定部３２０は、記憶部３００に記憶されている進入滞在規制情報又は入退場規制支援情報に基づいて、進入許否、滞在許否又は入退場許否を判定し、許否判定情報を出力部３３０に供給する。移動端末３１の出力部３３０は、当該移動端末３１の操作者に判定結果を報知するとともに、許否判定情報を行動規制支援システム７１に送信する。
【０１２６】
以上、第２の実施形態によれば、感染症の拡大防止を支援することができるようになる。
【０１２７】
なお、上記説明において、感染拡大防止支援サーバ１１の行動規制情報生成部１００１は、行動規制情報の一例として、進入不可施設の設備ＩＤを含む進入滞在規制情報を生成する態様を説明したが、行動規制情報生成部１００１は、進入可能施設の設備ＩＤを含む進入滞在規制情報を生成してもよい。行動規制情報生成部１００１が進入可能施設の設備ＩＤを含む進入滞在規制情報を生成する態様の場合、許否判定部２４０は、記憶部２００に記憶されている進入可能施設の設備ＩＤと一致したと判断したときは進入（改札機の通過）を許可する旨の判定を行い、一致しないと判断したときは進入を許可しない旨の判定を行う。
【０１２８】
同様に、行動規制情報生成部１００１は、入場可能施設の設備ＩＤを含む入退場規制情報、又は、退場可能施設の設備ＩＤを含む入退場規制情報を生成してもよい。行動規制情報生成部１００１が入場可能施設の設備ＩＤを含む入退場規制情報を生成する態様の場合、許否判定部２４０は、記憶部２００に記憶されている入場可能施設の設備ＩＤと一致したと判断したときは入場を許可する旨の判定を行い、一致しないと判断したときは入場を許可しない旨の判定を行う。行動規制情報生成部１００１が退場可能施設の設備ＩＤを含む入退場規制情報を生成する態様の場合、許否判定部２４０は、記憶部２００に記憶されている退場可能施設の設備ＩＤと一致したと判断したときは退場を許可する旨の判定を行い、一致しないと判断したときは退場を許可しない旨の判定を行う。
【０１２９】
更に、許否判定部２４０は、現在位置（地図上の位置）の時間変化の有無により、当該検査端末２１の移動の有無を判断し、現在位置（地図上の位置）の時間変化により、当該検査端末２１の移動方向及び移動速度を算出してもよい。当該検査端末２１の現在位置は、ＧＰＳを利用して取得されたものであってもよいし、基地局若しくは無線ＬＡＮなどのアクセスポイントとの通信することによって取得されたものであってもよい。
【０１３０】
許否判定部２４０は、当該検査端末２１の移動方向及び移動速度を算出する態様の場合にあっては、現在と同様の移動を続けた場合の移動可能範囲外に出る迄の時間を算出し、出力部２５０に供給してもよい。また、許否判定部２４０は、当該態様の場合、移動可能範囲内に存在しないと判断した際に、移動範囲内に戻る方向を算出し、出力部２５０に供給してもよい。
【０１３１】
（第３の実施形態）
以下、図面を参照しながら本発明の第３の実施形態について説明する。図１３は、本発明の第３の実施形態による感染拡大防止支援システムを含むシステムの概念図である。図１４Ａ〜図１４Ｅは、第３の実施形態による感染拡大防止支援システムを説明するための説明図である。第３の実施形態による感染拡大防止支援システム３は、図１３に示すように、相互に通信する感染拡大防止支援サーバ１２と検査端末２０とから構成される。
【０１３２】
図１３に示す、端末位置情報ＤＢ５１、個人情報ＤＢ５２、会員情報ＤＢ５３、地図情報ＤＢ５４、設備情報ＤＢ５５、物品情報等ＤＢ５６、注意情報等ＤＢ５７、検査判定情報ＤＢ５８、行動規制情報ＤＢ６１、物品供給支援情報ＤＢ６２、感染統計情報ＤＢ６３、緊急搬送支援情報ＤＢ６４は何れも、感染拡大防止支援システム３の外部のＤＢである。また、詳細解析システム４０、行動規制支援システム７１、物品供給支援システム７２、感染統計情報提供システム７３、緊急搬送支援システム７４は何れも、感染拡大防止支援システム３の外部のＤＢである。なお、行動規制情報ＤＢ６１以外は、本発明の第１の実施形態又は第２の実施形態において説明したものと同一である。
【０１３３】
図１３に示す移動端末３０は、感染拡大防止支援システム３の外部の端末である。移動端末３０は、本発明の第１の実施形態において説明したものと同一である。但し、移動端末３０の出力部３３０は、表示機能、音声出力機能、点灯機能、及び、振動機能などを有する。
【０１３４】
行動規制情報ＤＢ６１は、主に、行動規制情報生成部１００２によって生成された情報を記憶する。なお、行動規制情報ＤＢ６１は、行動規制支援システム７１によって参照される。
【０１３５】
感染拡大防止支援サーバ１２は、行動規制情報生成部１００２を備える点が、第１、第２の実施形態による感染拡大防止支援サーバ１０、１１と異なる。従って、感染拡大防止支援サーバ１０、１１と共通する部分については説明の一部又は全部を省略する。
【０１３６】
行動規制情報生成部１００２は、感染判定情報と被験者に関する情報とに基づいて被験者のうち感染症の感染者を特定し、特定した感染者やその家族の行動を規制するための行動規制情報を生成する。例えば、行動規制情報生成部１００２は、行動規制情報として、感染者の進入又は滞在を規制する進入滞在規制情報、又は、被験者の医療機関への入退場を規制する入退場規制支援情報を生成する。
【０１３７】
また、行動規制情報生成部１００２は、例えば、図１４Ａに示すような、規制対象端末の端末ＩＤ、及び、中心座標と半径とによって規定された移動可能範囲を含む、進入滞在規制情報を生成する。なお、図１４Ａの進入滞在規制情報に含まれる「規制対象端末の端末ＩＤ」は、検査情報の送信元である検査端末２０の端末ＩＤ（被験者に関する情報）、又は／及び、当該感染者と判定された被験者の所持する移動端末３０の端末ＩＤ（被験者に関する情報）である。また、図１４Ａの進入滞在規制情報に含まれる「移動可能範囲」は、病名／症状（感染判定情報）、及び、検査端末２０又は移動端末３０の位置情報である被験者の位置情報（被験者に関する情報）に基づいて決定する。
【０１３８】
また例えば、行動規制情報生成部１００２は、図１４Ａに示すような進入滞在規制情報に代えてまたは加えて、図１４Ｂに示すような、規制対象端末の端末ＩＤ、及び、進入不可施設の設備ＩＤを含む、進入滞在規制情報を生成する。なお、行動規制情報生成部１００２は、病名／症状（感染判定情報）、及び、検査端末２０又は移動端末３０の位置情報である被験者の位置情報（被験者に関する情報）に基づいて、図１４Ｂの進入滞在規制情報に含まれる「進入不可施設」を決定する。例えば、行動規制情報生成部１００２は、病名／症状毎の移動可能距離を示すテーブルを保持し、当該テーブル、感染判定情報、被験者の位置情報、地図情報ＤＢ５４の情報、設備情報ＤＢ５５の情報などに基づいて、進入不可施設を決定する。
【０１３９】
行動規制情報生成部１００２は、図１４ＡＢに示すような進入滞在規制情報に代えてまたは加えて、図１４Ｃに示すような、入場不可の施設の設備ＩＤを含む入退場規制支援情報、又は、図１４Ｄに示すような、退場不可の施設の設備ＩＤを含む入退場規制支援情報を生成する。なお、行動規制情報生成部１００２は、病名／症状毎の移動可能距離を示すテーブルを保持し、当該テーブル、感染判定情報、被験者の位置情報、地図情報ＤＢ５４の情報、設備情報ＤＢ５５の情報などに基づいて、図１４Ｃの入退場規制支援情報に含まれる「入場不可施設」、及び、図１４Ｄの入退場規制支援情報に含まれる「退場不可施設」を決定する。
【０１４０】
更に、行動規制情報生成部１００２は、行動規制情報として、進入滞在規制情報、入退場規制支援情報に代えてまたは加えて、図１４Ｅに示すような、被験者の監視を支援するための監視支援情報を生成する。なお、行動規制情報生成部１００２は、病名／症状（感染判定情報）、及び、検査端末２０又は移動端末３０の位置情報である被験者の位置情報（被験者に関する情報）に基づいて、図１４Ｅの進入滞在規制情報に含まれる「監視設備」を決定する。例えば、行動規制情報生成部１００２は、病名／症状毎の移動可能距離を示すテーブルを保持し、当該テーブル、感染判定情報、被験者の位置情報、地図情報ＤＢ５４の情報、設備情報ＤＢ５５の情報などに基づいて、監視設備を決定する。
【０１４１】
行動規制情報生成部１００２は、感染判定部１２０から取得した情報、及び、生成した行動規制情報（進入滞在許否情報、進入滞在許否情報、監視支援情報）を出力部１４０に供給する。
【０１４２】
出力部１４０は、行動規制情報生成部１００２から取得した行動規制情報を行動規制情報ＤＢ６１に記憶（登録）する。即ち、行動規制情報ＤＢ６１は、図１４Ａ〜図１４Ｅに示すような、行動規制情報を記憶する。
【０１４３】
検査端末２０の送受信部２３０は、当該検査端末２０の端末ＩＤとともに現在位置を行動規制支援システム７１に送信する。行動規制支援システム７１は、例えば、行動規制情報ＤＢ６１に記憶されている図１４Ａに示す移動可能範囲を参照し、当該検査端末２０が移動可能範囲内に存在すると判断したときは当該場所の滞在を許可する旨の判定を行い、当該検査端末２１が移動可能範囲内に存在しないと判断したときは当該場所の滞在を許可しない旨の判定を行う。
【０１４４】
また例えば、送受信部２３０は、行動規制支援システム７１によって制御される設備（例えば、改札機）に、当該検査端末２０の端末ＩＤを送信する。行動規制支援システム７１は、例えば、行動規制情報ＤＢ６１に記憶されている図１４Ｂに示す進入不可施設を参照し、当該設備への進入の許否を判定する。即ち、当該検査端末２０の通信相手である設備の設備ＩＤが、行動規制情報ＤＢ６１に当該検査端末２０の端末ＩＤに対応付けて記憶されている進入不可施設の設備ＩＤ（図１４Ｂ）と一致しないと判断したときは進入（改札機の通過）を許可する旨の判定を行い、一致したと判断したときは進入を許可しない旨の判定を行う。
【０１４５】
また例えば、送受信部２３０は、行動規制支援システム７１によって制御される設備（例えば、病院のドア（屋外側に面した通信部））に、当該検査端末２０の端末ＩＤを送信する。行動規制支援システム７１は、例えば、行動規制情報ＤＢ６１に記憶されている図１４Ｃに示す入場不可施設を参照し、当該設備への入場の許否を判定する。即ち、当該検査端末２０の通信相手である設備の設備ＩＤが、行動規制情報ＤＢ６１に当該検査端末２０の端末ＩＤに対応付けて記憶されている入場不可施設の設備ＩＤ（図１４Ｃ）と一致しないと判断したときは入場（病院への入場）を許可する旨の判定を行い、一致したと判断したときは入場を許可しない旨の判定を行う。
【０１４６】
また例えば、送受信部２３０は、行動規制支援システム７１によって制御される設備（例えば、病院のドア（屋内側に面した通信部））に、当該検査端末２０の端末ＩＤを送信する。行動規制支援システム７１は、例えば、行動規制情報ＤＢ６１に記憶されている図１４Ｄに示す退場不可施設を参照し、当該設備からの退場の許否を判定する。即ち、当該検査端末２０の通信相手である設備の設備ＩＤが、行動規制情報ＤＢ６１に当該検査端末２０の端末ＩＤに対応付けて記憶されている退場不可施設の設備ＩＤ（図１４Ｃ）と一致しないと判断したときは退場（病院からの退場）を許可する旨の判定を行い、一致したと判断したときは退場を許可しない旨の判定を行う。
【０１４７】
行動規制支援システム７１は、判定内容（許可／不許可）に応じて、設備（例えば、改札機、病院のドア）を制御するとともに、当該検査端末２０に上記判定の結果である許否判定情報を送信する。なお、当該検査端末２０の出力部２５０は、不許可である旨の許否判定情報を許否判定部２４０から取得した場合、進入できない旨、滞在できない旨、入退場ができない旨を音声によって、当該検査端末２１の本体上のＬＥＤを発行させて、又は、当該検査端末２１の本体を振動させて報知する判定結果報知部を構成してもよい。
【０１４８】
また、行動規制支援システム７１は、例えば、行動規制情報ＤＢ６１に記憶されている図１４Ｅに示す監視支援情報を参照し、被験者やその家族を監視する監視カメラを駆動させる。例えば、行動規制支援システム７１は、感染者の現在位置の方向に監視カメラの方向を合わせる。
【０１４９】
以上、第３の実施形態によれば、感染症の拡大防止を支援することができるようになる。
【０１５０】
なお、上記説明において、感染拡大防止支援サーバ１２の行動規制情報生成部１００２は、行動規制情報の一例として、進入不可施設の設備ＩＤを含む進入滞在規制情報を生成する態様を説明したが、行動規制情報生成部１００２は、進入可能施設の設備ＩＤを含む進入滞在規制情報を生成してもよい。行動規制情報生成部１００２が進入可能施設の設備ＩＤを含む進入滞在規制情報を生成する態様の場合、行動規制支援システム７１は、当該検査端末２０の通信相手である設備の設備ＩＤが、行動規制情報ＤＢ６１に当該検査端末２０の端末ＩＤに対応付けて記憶されている進入可能施設の設備ＩＤと一致したと判断したときは進入を許可する旨の判定を行い、一致しないと判断したときは進入を許可しない旨の判定を行う。
【０１５１】
同様に、行動規制情報生成部１００２は、入場可能施設の設備ＩＤを含む入退場規制情報、又は、退場可能施設の設備ＩＤを含む入退場規制情報を生成してもよい。行動規制情報生成部１００２が入場可能施設の設備ＩＤを含む入退場規制情報を生成する態様の場合、行動規制支援システム７１は、当該検査端末２０の通信相手である設備の設備ＩＤが、行動規制情報ＤＢ６１に当該検査端末２０の端末ＩＤに対応付けて記憶されている入場可能施設の設備ＩＤと一致したと判断したときは入場を許可する旨の判定を行い、一致しないと判断したときは入場を許可しない旨の判定を行う。行動規制情報生成部１００２が退場可能施設の設備ＩＤを含む入退場規制情報を生成する態様の場合、行動規制支援システム７１は、当該検査端末２０の通信相手である設備の設備ＩＤが、行動規制情報ＤＢ６１に当該検査端末２０の端末ＩＤに対応付けて記憶されている退場可能施設の設備ＩＤと一致したと判断したときは退場を許可する旨の判定を行い、一致しないと判断したときは退場を許可しない旨の判定を行う。
【０１５２】
なお、行動規制支援システム７１は、現在位置（地図上の位置）の時間変化の有無により、当該検査端末２０の移動の有無を判断し、現在位置（地図上の位置）の時間変化により、当該検査端末２０の移動方向及び移動速度を算出してもよい。
【０１５３】
行動規制支援システム７１は、当該検査端末２１の移動方向及び移動速度を算出する態様の場合にあっては、現在と同様の移動を続けた場合の移動可能範囲外に出る迄の時間を算出し、当該検査端末２０に送信してもよい。また、行動規制支援システム７１は、当該態様の場合、移動可能範囲内に存在しないと判断した際に、移動範囲内に戻る方向を算出し、当該検査端末２０に送信してもよい。
【０１５４】
なお、上記説明において、行動規制支援システム７１は、感染者の現在位置の方向に監視カメラの方向を合わせる態様を説明したが、監視カメラの方向を制御する態様はこれに限定されない。例えば、個人情報ＤＢ５２に各被験者の過去の行動情報を記憶（蓄積）しておくことによって、行動規制支援システム７１は、当該感染者の過去の行動パターンに基づいて行動パターンを予測し、予測結果に応じて監視カメラを制御してもよい。また例えば、個人情報ＤＢ５２に同一地域同一属性の被験者の行動履歴を集計しておくことによって、行動規制支援システム７１は、特性が類似する感染者の行動パターンに基づいて、当該感染者の行動パターンを予測し、予測結果に応じて監視カメラを制御してもよい。
【０１５５】
即ち、上記説明においては、行動規制情報生成部１００２は、一例として、監視設備の設備ＩＤを含む監視支援情報を生成する態様を説明したが、上述のような、監視設備の制御情報（例えば、監視カメラの方向情報）を含む監視支援情報を生成してもよい。
【０１５６】
また、行動規制支援システム７１は、顔認識機能などの生体認識機能を具備していてもよい。行動規制支援システム７１は、生体認識機能を具備する場合、監視カメラによって撮像された撮像画像と、個人情報ＤＢ５２の生体認識情報（顔の特徴量データ）とを参照し、撮像画像内に被験者を特定する。即ち、行動規制支援システム７１は、監視カメラによって個々の感染者を監視する。
【０１５７】
なお、第１の実施形態説明においては、図１に示すように、検査端末２０が検査情報を感染拡大防止支援サーバ１０に送信し、感染拡大防止支援サーバ１０が感染症の感染の有無又は程度を判定する態様であったが、図１５に示すように、検査端末２３が感染症の感染の有無又は程度を判定し、感染判定情報を感染拡大防止支援サーバ１３に送信する態様であってもよい。図１５に示す感染拡大防止支援システム４は、相互に通信する感染拡大防止支援サーバ１３と検査端末２３とから構成され、検査端末２３は、検査デバイス８０を装着する装着部（非図示）、入力受付部２１０、検査情報取得部２２０、感染判定部２２５、送受信部２３０及び出力部２５０を備え、感染拡大防止支援サーバ１３は、受信部１１０、送受信制御部１３０、行動規制情報生成部１０００、治療支援情報生成部１０１０、生命維持支援情報生成部１０２０、証明情報生成部１０３０、統計情報生成部１０４０、緊急搬送支援情報生成部１０５０、医薬品選定部１０６０、及び、出力部１４０を備える。なお、感染判定部２２５は、例えば、送受信部２３０を介して、検査判定情報ＤＢ５８に記憶されている検査判定情報を取得し、検査情報取得部２２０の検査情報と比較することで、第１の実施形態における感染判定部１２０と同等の処理を行うことが可能である。
【０１５８】
図１６に示すフローチャートは、図１５の構成において、感染拡大防止支援サーバ１３が行動規制情報を生成し、生成した行動規制情報を検査端末２３に送信する例である。また、図１６の左側は検査端末２３、右側は感染拡大防止支援サーバ１３の処理を示している。
【０１５９】
検査端末２３の検査情報取得部２２０は、感染症の感染を検査するための検査情報を取得する（ステップＳ３００）。検査端末２３の感染判定部２２５は、検査情報を用いて感染症の感染の有無又は程度を判定する（ステップＳ３１０）。検査端末２３の送受信部２３０は、感染判定情報を感染拡大防止支援サーバ１３に送信する（ステップＳ３２０）。
なお、検査端末２３の送受信部２３０は、入力受付部２１０から入力情報を取得していた場合、当該入力情報とともに感染判定情報を感染拡大防止支援サーバ１３に送信する。
【０１６０】
感染拡大防止支援サーバ１３の受信部１１０は、検査端末２０によって送信された情報を受信する（ステップＳ４００）。感染拡大防止支援サーバ１３の受信部１１０は、行動規制情報を生成するために必要な情報を外部のＤＢから受信する（ステップＳ４１０）。
感染拡大防止支援サーバ１３の行動規制情報生成部１０００は、感染判定情報と被験者に関する情報とに基づいて、感染者の行動を規制するための行動規制情報を生成する（ステップＳ４２０）。感染拡大防止支援サーバ１３の出力部１４０は、行動規制情報を検査端末２３に送信する（ステップＳ４３０）。
【０１６１】
検査端末２３の送受信部２３０は、感染拡大防止支援サーバ１０によって送信された行動規制情報を受信する（ステップＳ３３０）。検査端末２３の出力部２５０は、行動規制情報を表示する（ステップＳ３４０）。そして、本フローチャートは終了する。
【０１６２】
同様に、第２の実施形態説明においては、図１０に示すように、検査端末２１が検査情報を感染拡大防止支援サーバ１１に送信し、感染拡大防止支援サーバ１１が感染症の感染の有無又は程度を判定する態様であったが、図１７に示すように、検査端末２４が感染症の感染の有無又は程度を判定し、感染判定情報を感染拡大防止支援サーバ１４に送信する態様であってもよい。図１７に示す感染拡大防止支援システム５は、相互に通信する感染拡大防止支援サーバ１４と検査端末２４とから構成され、検査端末２４は、検査デバイス８０を装着する装着部（非図示）、記憶部２００、入力受付部２１０、検査情報取得部２２０、感染判定部２２５、送受信部２３０、許否判定部２４０及び出力部２５０を備え、感染拡大防止支援サーバ１４は、受信部１１０、送受信制御部１３０、行動規制情報生成部１００１、治療支援情報生成部１０１０、生命維持支援情報生成部１０２０、証明情報生成部１０３０、統計情報生成部１０４０、緊急搬送支援情報生成部１０５０、医薬品選定部１０６０、及び、出力部１４０を備える。
【０１６３】
同様に、第３の実施形態説明においては、図１３に示すように、検査端末２０が検査情報を感染拡大防止支援サーバ１２に送信し、感染拡大防止支援サーバ１２が感染症の感染の有無又は程度を判定する態様であったが、図１８に示すように、検査端末２３が感染症の感染の有無又は程度を判定し、感染判定情報を感染拡大防止支援サーバ１５に送信する態様であってもよい。図１８に示す感染拡大防止支援システム６は、相互に通信する感染拡大防止支援サーバ１５と検査端末２３とから構成され、検査端末２３は、検査デバイス８０を装着する装着部（非図示）、入力受付部２１０、検査情報取得部２２０、感染判定部２２５、送受信部２３０及び出力部２５０を備え、感染拡大防止支援サーバ１５は、受信部１１０、送受信制御部１３０、行動規制情報生成部１００２、治療支援情報生成部１０１０、生命維持支援情報生成部１０２０、証明情報生成部１０３０、統計情報生成部１０４０、緊急搬送支援情報生成部１０５０、医薬品選定部１０６０、及び、出力部１４０を備える。
【０１６４】
なお、本実施形態においては、上述の検査端末は、持ち運びや携帯することが可能な上述の移動端末の機能を有するような構成にしてもよい。また、本実施形態においては、上述の移動端末は、上述の検査端末の機能（例、検査情報取得部や感染判定部、など）を有するような構成にしてもよい。なお、本実施形態における情報生成部によって生成された情報（例、行動規制情報、治療支援情報、生命維持支援情報など）は、上述のサーバ内の記憶部（例、メモリやデータベースなど）に記憶されるようにしてもよい。
【０１６５】
また、本実施形態は、病院などの医療機関において用いることもできる。医療機関の場合は、外来病棟と入院病棟と（又は隔離病棟と他の病棟と、等）で行動規制情報によって感染者の行動範囲を規制したり、治療支援情報によって感染症の入院患者に対して治療支援を行ったり、生命維持支援情報を電子カルテシステムや移動端末などに出力するようにしてもよい。
【０１６６】
なお、上記した実施形態は、以下の内容を含む。
【０１６７】
［１］
検査端末とサーバとを含む感染拡大防止支援システムであって、
前記検査端末は、
被験者における感染症の感染を検査するための検査情報を取得する検査情報取得部と、
前記検査情報を前記サーバに送信する送信部と
を備え、
前記サーバは、
前記検査情報と前記被験者に関する情報とを受信する受信部と、
前記検査情報と記憶部に記憶されている検査判定情報とを比較して前記感染症の感染の有無又は程度を判定するように構成される感染判定部と、
前記感染判定部の判定結果である感染判定情報と前記被験者に関する情報とに基づいて前記被験者のうち前記感染症の感染者を特定するとともに、前記感染者の行動を規制するための行動規制情報を生成するように構成される行動規制情報生成部と、
前記感染者の前記行動規制情報を出力する出力部と
を備え、
前記行動規制情報生成部は、前記行動規制情報として、前記感染者の現在位置によって規定される又は前記感染者の市町村コードによって規定される移動制限情報を生成する感染拡大防止支援システム。
【０１６８】
［２］
検査端末とサーバとを含む感染拡大防止支援システムであって、
前記検査端末は、
被験者における感染症の感染を検査するための検査情報を取得する検査情報取得部と、
前記検査情報と記憶部に記憶されている検査判定情報とを比較して前記感染症の感染の有無又は程度を判定するように構成される感染判定部と、
前記感染判定部の判定結果である感染判定情報を前記サーバに送信する送信部と
を備え、
前記サーバは、
前記感染判定情報と前記被験者に関する情報とを受信する受信部と、
前記感染判定情報と前記被験者に関する情報とに基づいて前記被験者のうち前記感染症の感染者を特定するとともに、前記感染者の行動を規制するための行動規制情報を生成するように構成される行動規制情報生成部と、
前記感染者の前記行動規制情報を出力する出力部と
を備え、
前記行動規制情報生成部は、前記行動規制情報として、前記感染者の現在位置によって規定される又は前記感染者の市町村コードによって規定される移動制限情報を生成する感染拡大防止支援システム。
【０１６９】
［３］
検査端末とサーバとを含む感染拡大防止支援システムであって、
前記検査端末は、
被験者における感染症の感染を検査するための検査情報を取得する検査情報取得部と、
前記検査情報を前記サーバに送信する送信部と
を備え、
前記サーバは、
前記検査情報と前記被験者に関する情報とを受信する受信部と、
前記検査情報と記憶部に記憶されている検査判定情報とを比較して前記感染症の感染の有無又は程度を判定するように構成される感染判定部と、
前記感染判定部の判定結果である感染判定情報と前記被験者に関する情報とに基づいて前記被験者のうち前記感染症の感染者を特定するとともに、前記感染者の治療を支援するための治療支援情報を生成するように構成される治療支援情報生成部と、
前記感染者の前記治療支援情報を出力する出力部と
を備え、
前記治療支援情報生成部は、前記治療支援情報として、前記感染者の治療に用いる物品の物品名および該物品の供給日を含む物品供給支援情報を生成する感染拡大防止支援システム。
【０１７０】
［４］
検査端末とサーバとを含む感染拡大防止支援システムであって、
前記検査端末は、
被験者における感染症の感染を検査するための検査情報を取得する検査情報取得部と、
前記検査情報と記憶部に記憶されている検査判定情報とを比較して前記感染症の感染の有無又は程度を判定するように構成される感染判定部と、
前記感染判定部の判定結果である感染判定情報を前記サーバに送信する送信部と
を備え、
前記サーバは、
前記感染判定情報と前記被験者に関する情報とを受信する受信部と、
前記感染判定情報と前記被験者に関する情報とに基づいて前記被験者のうち前記感染症の感染者を特定するとともに、前記感染者の治療を支援するための治療支援情報を生成するように構成される治療支援情報生成部と、
前記感染者の前記治療支援情報を出力する出力部と
を備え、
前記治療支援情報生成部は、前記治療支援情報として、前記感染者の治療に用いる物品の物品名および該物品の供給日を含む物品供給支援情報を生成する感染拡大防止支援システム。
【０１７１】
［５］
前記治療支援情報生成部は、
前記感染者の位置情報に基づいて、医療機関とは異なる場所にいる前記感染者の住所を含む前記物品供給支援情報を生成する［３］又は［４］に記載の感染拡大防止支援システム。
【０１７２】
［６］
被験者における感染症の感染を検査するための検査情報と前記被験者に関する情報とを受信する受信部と、
前記検査情報と記憶部に記憶されている検査判定情報とを比較して前記感染症の感染の有無又は程度を判定するように構成される感染判定部と、
前記感染判定部の判定結果である感染判定情報と前記被験者に関する情報とに基づいて前記被験者のうち前記感染症の感染者を特定するとともに、前記感染者の行動を規制するための行動規制情報を生成するように構成される行動規制情報生成部と、
前記感染者の前記行動規制情報を出力する出力部と
を備え、
前記行動規制情報生成部は、前記行動規制情報として、前記感染者の現在位置によって規定される又は前記感染者の市町村コードによって規定される移動制限情報を生成する感染拡大防止支援サーバ。
【０１７３】
［７］
被験者における感染症の感染を検査するための検査情報と記憶部に記憶されている検査判定情報とを比較して前記感染症の感染の有無又は程度を判定した判定結果である感染判定情報と、前記被験者に関する情報と、を受信する受信部と、
前記感染判定情報と前記被験者に関する情報とに基づいて前記被験者のうち前記感染症の感染者を特定するとともに、前記感染者の行動を規制するための行動規制情報を生成するように構成される行動規制情報生成部と、
前記感染者の前記行動規制情報を出力する出力部と
を備え、
前記行動規制情報生成部は、前記行動規制情報として、前記感染者の現在位置によって規定される又は前記感染者の市町村コードによって規定される移動制限情報を生成する感染拡大防止支援サーバ。
【０１７４】
［８］
前記行動規制情報生成部は、前記行動規制情報として、監視カメラによる前記感染者の監視を支援するための監視支援情報を生成するように構成される［６］又は［７］に記載の感染拡大防止支援サーバ。
【０１７５】
［９］
前記行動規制情報生成部は、前記行動規制情報として、前記感染者が移動可能範囲を超えて外出することを禁止する旨のメッセージ情報を生成するように構成される［６］から［８］の何れかに記載の感染拡大防止支援サーバ。
【０１７６】
［１０］
前記行動規制情報生成部は、前記感染判定情報と前記被験者に関する情報とに基づいて、前記感染症の感染の拡大防止に用いる物品の供給を支援するため物品供給支援情報を生成するように構成される［６］から［９］の何れかに記載の感染拡大防止支援サーバ。
【０１７７】
［１１］
前記行動規制情報生成部は、
前記感染者の位置情報に基づいて、医療機関とは異なる場所にいる前記感染者の住所を含む前記物品供給支援情報を生成する［１０］に記載の感染拡大防止支援サーバ。
【０１７８】
［１２］
前記行動規制情報生成部は、前記感染判定情報と前記被験者に関する情報とに基づいて、前記感染者の行動規制を解除するための行動規制解除情報を生成するように構成される［６］から［１１］の何れかに記載の感染拡大防止支援サーバ。
【０１７９】
［１３］
前記出力部は、前記行動規制情報の提供を受ける会員に関する会員情報であって各会員によって指定された指定地域及び指定出力先を含む会員情報に基づいて、前記行動規制情報を出力する［６］から［１２］の何れかに記載の感染拡大防止支援サーバ。
【０１８０】
［１４］
被験者における感染症の感染を検査するための検査情報と前記被験者に関する情報とを受信する受信部と、
前記検査情報と記憶部に記憶されている検査判定情報とを比較して前記感染症の感染の有無又は程度を判定するように構成される感染判定部と、
前記感染判定部の判定結果である感染判定情報と前記被験者に関する情報とに基づいて前記被験者のうち前記感染症の感染者を特定するとともに、前記感染者の治療を支援するための治療支援情報を生成するように構成される治療支援情報生成部と、
前記感染者の前記治療支援情報を出力する出力部と
を備え、
前記治療支援情報生成部は、前記治療支援情報として、前記感染者の治療に用いる物品の物品名および該物品の供給日を含む物品供給支援情報を生成する感染拡大防止支援サーバ。
【０１８１】
［１５］
被験者における感染症の感染を検査するための検査情報と記憶部に記憶されている検査判定情報とを比較して前記感染症の感染の有無又は程度を判定した判定結果である感染判定情報と、前記被験者に関する情報と、を受信する受信部と、
前記感染判定情報と前記被験者に関する情報とに基づいて前記被験者のうち前記感染症の感染者を特定するとともに、前記感染者の治療を支援するための治療支援情報を生成するように構成される治療支援情報生成部と、
前記感染者の前記治療支援情報を出力する出力部と
を備え、
前記治療支援情報生成部は、前記治療支援情報として、前記感染者の治療に用いる物品の物品名および該物品の供給日を含む物品供給支援情報を生成する感染拡大防止支援サーバ。
【０１８２】
［１６］
前記治療支援情報生成部は、
前記感染者の位置情報に基づいて、医療機関とは異なる場所にいる前記感染者の住所を含む前記物品供給支援情報を生成する［１４］又は［１５］に記載の感染拡大防止支援サーバ。
【０１８３】
［１７］
前記感染者の治療に用いる物品は、感染の治療に間接的に寄与する医療関連の物品を含み、
前記治療支援情報生成部は、前記医療関連の物品として前記感染症の感染を検査する検査デバイスを供給するための前記物品供給支援情報を生成する［１４］から［１６］の何れかに記載の感染拡大防止支援サーバ。
【０１８４】
［１８］
前記感染判定情報と前記被験者に関する情報とに基づいて、前記感染者の治療に用いる医薬品を選定するように構成される医薬品選定部を備え、
前記出力部は、物流業者の端末に物品選定情報を出力する［１４］から［１７］の何れかに記載の感染拡大防止支援サーバ。
【０１８５】
［１９］
前記感染判定情報と前記被験者に関する情報とに基づいて、地域別の感染統計情報を生成するように構成される感染統計情報生成部を備える［６］から［１８］の何れかに記載の感染拡大防止支援サーバ。
【０１８６】
［２０］
前記感染判定情報と前記被験者に関する情報とに基づいて、前記感染者の搬送を支援するための、前記感染者の現在位置、搬送先の医療機関を含む緊急搬送支援情報を生成するように構成される緊急搬送支援情報生成部を備える［６］から［１９］の何れかに記載の感染拡大防止支援サーバ。
【０１８７】
［２１］
前記検査情報は、前記被験者を特定する個人特定情報を含む検査情報であって、
前記感染判定部は、予め記憶されている前記被験者の前記個人特定情報と前記検査情報から得られる前記個人特定情報とに基づいて前記被験者の本人確認処理を実行し、前記被験者の前記検査情報を用いて前記感染症の感染の有無又は程度を判定するように構成される［６］又は［１４］に記載の感染拡大防止支援サーバ。
【０１８８】
［２２］
前記個人特定情報として、前記被験者のＤＮＡに関する情報を用いる［２１］に記載の感染拡大防止支援サーバ。
【０１８９】
［２３］
前記感染判定情報に基づいて、検査端末に選択的に情報を送信させる制御、前記出力部に選択的に情報を出力させる制御、検査端末によって送信された情報を選択的に受信する制御、のうち少なくとも１つを行うように構成される送受信制御部を備える［６］から［２２］の何れかに記載の感染拡大防止支援サーバ。
【０１９０】
［２４］
被験者の感染症の感染の有無又は程度の判定に用いられる検査情報を取得する検査情報取得部と、
前記検査情報と記憶部に記憶されている検査判定情報とを比較して前記感染症の感染の有無又は程度を判定するように構成される感染判定部と、
前記感染判定部の判定結果である感染判定情報をサーバに送信する送信部と
前記サーバから、前記被験者のうち前記感染症の感染者の行動を規制するための行動規制情報として、前記感染者の現在位置によって規定される又は前記感染者の市町村コードによって規定される移動制限情報を受信する受信部と、
前記受信部によって受信した情報を出力する出力部と
を備える検査端末。
【０１９１】
［２５］
進入許否、滞在許否又は入退場許否を判定するように構成される許否判定部と、
前記許否判定部による判定の結果を報知する判定結果報知部と
を備え、
前記受信部は、前記サーバから、前記行動規制情報として、前記感染者の進入又は滞在を規制する進入滞在規制情報、又は、前記被験者の医療機関への入退場を規制する入退場規制支援情報を受信し、
前記許否判定部は、前記進入滞在規制情報、又は、前記入退場規制支援情報に基づいて進入許否、滞在許否又は入退場許否を判定し、
前記判定結果報知部は、前記許否判定部による判定の結果を報知する［２４］に記載の検査端末。
【０１９２】
［２６］
被験者の感染症の感染の有無又は程度の判定に用いられる検査情報を取得する検査情報取得部と、
前記検査情報と記憶部に記憶されている検査判定情報とを比較して前記感染症の感染の有無又は程度を判定するように構成される感染判定部と、
前記感染判定部の判定結果である感染判定情報をサーバに送信する送信部と
前記サーバから、前記感染症の治療を支援するための治療支援情報として、感染者の治療に用いる物品の物品名および該物品の供給日を含む物品供給支援情報を受信する受信部と、
前記受信部によって受信した情報を出力する出力部と
を備える検査端末。
【０１９３】
［２７］
前記感染症の感染を検査する検査デバイスの装着部を有し、
前記検査情報取得部は、前記検査デバイスから前記検査情報を取得する［２４］から［２６］の何れかに記載の検査端末。
【０１９４】
［２８］
被験者における感染症の感染の有無又は程度を示す感染判定情報に基づいて、前記被験者のうち前記感染症の感染者の行動を規制するための行動規制情報を生成するように構成されるサーバから、前記行動規制情報として、前記感染者の進入又は滞在を規制する進入滞在規制情報、又は、前記被験者の医療機関への入退場を規制する入退場規制支援情報を受信する受信部と、
前記行動規制情報を記憶する記憶部と、
前記行動規制情報に基づいて進入許否、滞在許否又は入退場許否を判定するように構成される許否判定部と、
前記許否判定部による判定の結果を報知する判定結果報知部と
を備える移動端末。
【０１９５】
［２９］
検査情報を取得する検査情報取得部と、
前記検査情報取得部によって取得された前記検査情報を前記サーバに送信する送信部とを備える［２８］に記載の移動端末。
【０１９６】
［３０］
前記検査情報取得部によって取得された前記検査情報と記憶部に記憶されている検査判定情報とを比較して前記感染症の感染の有無又は程度を判定するように構成される感染判定部と、
前記感染判定部の判定結果である前記感染判定情報を前記サーバに送信する送信部と
を備える［２９］に記載の移動端末。
【０１９７】
［３１］
感染拡大防止支援サーバのコンピュータに、
被験者における感染症の感染を検査するための検査情報と前記被験者に関する情報とを受信する受信ステップと、
前記検査情報と記憶部に記憶されている検査判定情報とを比較して前記感染症の感染の有無又は程度を判定する感染判定ステップと、
前記感染判定ステップにおける判定結果である感染判定情報と前記被験者に関する情報とに基づいて前記被験者のうち前記感染症の感染者を特定するステップと、
前記感染者の行動を規制するための行動規制情報として前記感染者の現在位置によって規定される又は前記感染者の市町村コードによって規定される移動制限情報を生成する行動規制情報生成ステップと、
前記行動規制情報を出力する出力ステップと
を実行させるプログラム。
【０１９８】
［３２］
感染拡大防止支援サーバのコンピュータに、
被験者における感染症の感染を検査するための検査情報と前記被験者に関する情報とを受信する受信ステップと、
前記検査情報と記憶部に記憶されている検査判定情報とを比較して前記感染症の感染の有無又は程度を判定する感染判定ステップと、
前記感染判定ステップにおける判定結果である感染判定情報と前記被験者に関する情報とに基づいて前記被験者のうち前記感染症の感染者を特定するステップと、
前記感染者の治療を支援するための治療支援情報として前記感染者の治療に用いる物品の物品名および該物品の供給日を含む物品供給支援情報を生成する治療支援情報生成ステップと、
前記治療支援情報を出力する出力ステップと
を実行させるプログラム。
【０１９９】
［３３］
被験者における感染症の感染を検査する検査デバイスの装着部を有する検査端末のコンピュータに、
前記感染症の感染の有無又は程度の判定に用いられる検査情報を取得する検査情報取得ステップと、
前記検査情報と記憶部に記憶されている検査判定情報とを比較して前記感染症の感染の有無又は程度を判定する感染判定ステップと、
前記感染判定ステップの判定結果である感染判定情報をサーバに送信する送信ステップと、
前記サーバから、前記感染症の感染者の行動を規制するための行動規制情報、前記感染者の治療を支援するための治療支援情報の少なくとも１つの情報を受信する受信ステップと、
前記受信ステップによって受信した情報を出力する出力ステップと
を実行させるプログラム。
【０２００】
［３４］
移動端末のコンピュータに、
被験者における感染症の感染の有無又は程度を示す感染判定情報に基づいて、前記感染症の感染者の行動を規制するための行動規制情報を生成するように構成されるサーバから、前記行動規制情報として、前記感染者の進入又は滞在を規制する進入滞在規制情報、又は、前記被験者の医療機関への入退場を規制する入退場規制支援情報を受信する行動規制情報受信ステップと、
前記行動規制情報を記憶する記憶ステップと、
前記行動規制情報に基づいて進入許否、滞在許否又は入退場許否を判定する許否判定ステップと、
前記許否判定ステップによる判定の結果を報知する判定結果報知ステップと
を実行させるプログラム。
【０２０１】
なお、上記した実施形態は、以下の内容も含む。
【０２０２】
上述の感染拡大防止支援システムは、検査端末とサーバとを含む感染拡大防止支援システムであって、前記検査端末は、被験者における感染症の感染を検査するための検査情報を取得する検査情報取得部と、前記検査情報を前記サーバに送信する送信部とを備え、前記サーバは、前記検査情報と前記被験者に関する情報とを受信する受信部と、前記検査情報と記憶部に記憶されている検査判定情報とを比較して前記感染症の感染の有無又は程度を判定するように構成される感染判定部と、前記感染判定部の判定結果である感染判定情報と前記被験者に関する情報とに基づいて前記被験者のうち前記感染症の感染者を特定するとともに、前記感染者の行動を規制するための行動規制情報を生成するように構成される行動規制情報生成部と、前記感染者の前記行動規制情報を出力する出力部とを備える。
【０２０３】
上述の感染拡大防止支援システムは、検査端末とサーバとを含む感染拡大防止支援システムであって、前記検査端末は、被験者における感染症の感染を検査するための検査情報を取得する検査情報取得部と、前記検査情報と記憶部に記憶されている検査判定情報とを比較して前記感染症の感染の有無又は程度を判定するように構成される感染判定部と、前記感染判定部の判定結果である感染判定情報を前記サーバに送信する送信部とを備え、前記サーバは、前記感染判定情報と前記被験者に関する情報とを受信する受信部と、前記感染判定情報と前記被験者に関する情報とに基づいて前記被験者のうち前記感染症の感染者を特定するとともに、前記感染者の行動を規制するための行動規制情報を生成するように構成される行動規制情報生成部と、前記感染者の前記行動規制情報を出力する出力部とを備える。
【０２０４】
上述の感染拡大防止支援システムは、検査端末とサーバとを含む感染拡大防止支援システムであって、前記検査端末は、被験者における感染症の感染を検査するための検査情報を取得する検査情報取得部と、前記検査情報を前記サーバに送信する送信部とを備え、前記サーバは、前記検査情報と前記被験者に関する情報とを受信する受信部と、前記検査情報と記憶部に記憶されている検査判定情報とを比較して前記感染症の感染の有無又は程度を判定するように構成される感染判定部と、前記感染判定部の判定結果である感染判定情報と前記被験者に関する情報とに基づいて前記被験者のうち前記感染症の感染者を特定するとともに、前記感染者の治療を支援するための治療支援情報を生成するように構成される治療支援情報生成部と、前記感染者の前記治療支援情報を出力する出力部とを備える。
【０２０５】
上述の感染拡大防止支援システムは、検査端末とサーバとを含む感染拡大防止支援システムであって、前記検査端末は、被験者における感染症の感染を検査するための検査情報を取得する検査情報取得部と、前記検査情報と記憶部に記憶されている検査判定情報とを比較して前記感染症の感染の有無又は程度を判定するように構成される感染判定部と、前記感染判定部の判定結果である感染判定情報を前記サーバに送信する送信部とを備え、前記サーバは、前記感染判定情報と前記被験者に関する情報とを受信する受信部と、前記感染判定情報と前記被験者に関する情報とに基づいて前記被験者のうち前記感染症の感染者を特定するとともに、前記感染者の治療を支援するための治療支援情報を生成するように構成される治療支援情報生成部と、前記感染者の前記治療支援情報を出力する出力部とを備える。
【０２０６】
上述の感染拡大防止支援システムは、検査端末とサーバとを含む感染拡大防止支援システムであって、前記検査端末は、被験者における感染症の感染を検査するための検査情報を取得する検査情報取得部と、前記検査情報を前記サーバに送信する送信部とを備え、前記サーバは、前記検査情報と前記被験者に関する情報とを受信する受信部と、前記検査情報と記憶部に記憶されている検査判定情報とを比較して前記感染症の感染の有無又は程度を判定するように構成される感染判定部と、前記感染判定部の判定結果である感染判定情報と前記被験者に関する情報とに基づいて前記被験者のうち前記感染症の感染者を特定するとともに、前記感染者の生命維持を支援するための生命維持支援情報を生成するように構成される生命維持支援情報生成部と、前記感染者の前記生命維持支援情報を出力する出力部とを備える。
【０２０７】
上述の感染拡大防止支援システムは、検査端末とサーバとを含む感染拡大防止支援システムであって、前記検査端末は、被験者における感染症の感染を検査するための検査情報を取得する検査情報取得部と、前記検査情報と記憶部に記憶されている検査判定情報とを比較して前記感染症の感染の有無又は程度を判定するように構成される感染判定部と、前記感染判定部の判定結果である感染判定情報を前記サーバに送信する送信部とを備え、前記サーバは、前記感染判定情報と前記被験者に関する情報とを受信する受信部と、前記感染判定情報と前記被験者に関する情報とに基づいて前記被験者のうち前記感染症の感染者を特定するとともに、前記感染者の生命維持を支援するための生命維持支援情報を生成するように構成される生命維持支援情報生成部と、前記感染者の前記生命維持支援情報を出力する出力部とを備える。
【０２０８】
上述の感染拡大防止支援サーバは、被験者における感染症の感染を検査するための検査情報と前記被験者に関する情報とを受信する受信部と、前記検査情報と記憶部に記憶されている検査判定情報とを比較して前記感染症の感染の有無又は程度を判定するように構成される感染判定部と、前記感染判定部の判定結果である感染判定情報と前記被験者に関する情報とに基づいて前記被験者のうち前記感染症の感染者を特定するとともに、前記感染者の行動を規制するための行動規制情報を生成するように構成される行動規制情報生成部と、前記感染者の前記行動規制情報を出力する出力部とを備える。
【０２０９】
上述の感染拡大防止支援サーバは、被験者における感染症の感染を検査するための検査情報と記憶部に記憶されている検査判定情報とを比較して前記感染症の感染の有無又は程度を判定した判定結果である感染判定情報と、前記被験者に関する情報と、を受信する受信部と、前記感染判定情報と前記被験者に関する情報とに基づいて前記被験者のうち前記感染症の感染者を特定するとともに、前記感染者の行動を規制するための行動規制情報を生成するように構成される行動規制情報生成部と、前記感染者の前記行動規制情報を出力する出力部とを備える。
【０２１０】
上述の感染拡大防止支援サーバは、被験者における感染症の感染を検査するための検査情報と前記被験者に関する情報とを受信する受信部と、前記検査情報と記憶部に記憶されている検査判定情報とを比較して前記感染症の感染の有無又は程度を判定するように構成される感染判定部と、前記感染判定部の判定結果である感染判定情報と前記被験者に関する情報とに基づいて前記被験者のうち前記感染症の感染者を特定するとともに、前記感染者の治療を支援するための治療支援情報を生成するように構成される治療支援情報生成部と、前記感染者の前記治療支援情報を出力する出力部とを備える。
【０２１１】
上述の感染拡大防止支援サーバは、被験者における感染症の感染を検査するための検査情報と記憶部に記憶されている検査判定情報とを比較して前記感染症の感染の有無又は程度を判定した判定結果である感染判定情報と、前記被験者に関する情報と、を受信する受信部と、前記感染判定情報と前記被験者に関する情報とに基づいて前記被験者のうち前記感染症の感染者を特定するとともに、前記感染者の治療を支援するための治療支援情報を生成するように構成される治療支援情報生成部と、前記感染者の前記治療支援情報を出力する出力部とを備える。
【０２１２】
上述の感染拡大防止支援サーバは、被験者における感染症の感染を検査するための検査情報と前記被験者に関する情報とを受信する受信部と、前記検査情報と記憶部に記憶されている検査判定情報とを比較して前記感染症の感染の有無又は程度を判定するように構成される感染判定部と、前記感染判定部の判定結果である感染判定情報と前記被験者に関する情報とに基づいて前記被験者のうち前記感染症の感染者を特定するとともに、前記感染者の生命維持を支援するための生命維持支援情報を生成するように構成される生命維持支援情報生成部と、前記感染者の前記生命維持支援情報を出力する出力部とを備える。
【０２１３】
上述の感染拡大防止支援サーバは、被験者における感染症の感染を検査するための検査情報と記憶部に記憶されている検査判定情報とを比較して前記感染症の感染の有無又は程度を判定した判定結果である感染判定情報と、前記被験者に関する情報と、を受信する受信部と、前記感染判定情報と前記被験者に関する情報とに基づいて前記被験者のうち前記感染症の感染者を特定するとともに、前記感染者の生命維持を支援するための生命維持支援情報を生成するように構成される生命維持支援情報生成部と、前記感染者の前記生命維持支援情報を出力する出力部と、を備える。
【０２１４】
上述の検査端末は、被験者の感染症の感染の有無又は程度の判定に用いられる検査情報を取得する検査情報取得部と、前記検査情報と記憶部に記憶されている検査判定情報とを比較して前記感染症の感染の有無又は程度を判定するように構成される感染判定部と、前記感染判定部の判定結果である感染判定情報をサーバに送信する送信部とを備える。
【０２１５】
上述の移動端末は、被験者における感染症の感染の有無又は程度を示す感染判定情報に基づいて、前記被験者のうち前記感染症の感染者の行動を規制するための行動規制情報を生成するように構成されるサーバから、前記行動規制情報として、前記感染者の進入又は滞在を規制する進入滞在規制情報、又は、前記被験者の医療機関への入退場を規制する入退場規制支援情報を受信する受信部と、前記行動規制情報を記憶する記憶部と、前記行動規制情報に基づいて進入許否、滞在許否又は入退場許否を判定するように構成される許否判定部と、前記許否判定部による判定の結果を報知する判定結果報知部とを備える。
【０２１６】
上述の移動端末は、被験者における感染症の感染の有無又は程度を示す感染判定情報に基づいてサーバによって生成された感染者の行動を規制するための行動規制情報に基づいて進入許否、滞在許否又は入退場許否を判定する判定装置から前記判定の判定結果を受信する受信部と、前記判定結果を報知する判定結果報知部とを備える。
【０２１７】
上述のプログラムは、感染拡大防止支援サーバのコンピュータに、被験者における感染症の感染を検査するための検査情報と前記被験者に関する情報とを受信する受信ステップと、前記検査情報と記憶部に記憶されている検査判定情報とを比較して前記感染症の感染の有無又は程度を判定する感染判定ステップと、前記感染判定ステップにおける判定結果である感染判定情報と前記被験者に関する情報とに基づいて前記被験者のうち前記感染症の感染者を特定するステップと、前記感染者の行動を規制するための行動規制情報を生成する行動規制情報生成ステップと、前記行動規制情報を出力する出力ステップとを実行させる。
【０２１８】
上述のプログラムは、被験者における感染症の感染を検査する検査デバイスの装着部を有する検査端末のコンピュータに、前記感染症の感染の有無又は程度の判定に用いられる検査情報を取得する検査情報取得ステップと、前記検査情報と記憶部に記憶されている検査判定情報とを比較して前記感染症の感染の有無又は程度を判定する感染判定ステップと、前記感染判定ステップの判定結果である感染判定情報をサーバに送信する送信ステップと、前記サーバから、前記感染症の感染者の行動を規制するための行動規制情報、前記感染者の治療を支援するための治療支援情報、前記感染者の生命維持を支援するための生命維持支援情報の少なくとも１つの情報を受信する受信ステップと、前記受信ステップによって受信した情報を出力する出力ステップとを実行させる。
【０２１９】
上述のプログラムは、移動端末のコンピュータに、被験者における感染症の感染の有無又は程度を示す感染判定情報に基づいて、前記感染症の感染者の行動を規制するための行動規制情報を生成するように構成されるサーバから、前記行動規制情報として、前記感染者の進入又は滞在を規制する進入滞在規制情報、又は、前記被験者の医療機関への入退場を規制する入退場規制支援情報を受信する行動規制情報受信ステップと、前記行動規制情報を記憶する記憶ステップと、前記行動規制情報に基づいて進入許否、滞在許否又は入退場許否を判定する許否判定ステップと、前記許否判定ステップによる判定の結果を報知する判定結果報知ステップとを実行させる。
【０２２０】
なお、本発明の各実施形態による感染拡大防止支援サーバ１０、１１、１２の各処理、検査端末２０、２１の各処理、移動端末３０、３１の各処理を実行するためのプログラムをコンピュータ読み取り可能な記録媒体に記録して、当該記録媒体に記録されたプログラムをコンピュータシステムに読み込ませ、実行することにより、感染拡大防止支援サーバ１０、１１、１２の各処理、検査端末２０、２１の各処理、移動端末３０、３１に係る上述した種々の処理を行ってもよい。なお、ここでいう「コンピュータシステム」とは、ＯＳや周辺機器等のハードウェアを含むものであってもよい。また、「コンピュータシステム」は、ＷＷＷシステムを利用している場合であれば、ホームページ提供環境（あるいは表示環境）も含むものとする。また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【０２２１】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Acc
ess Memory））のように、一定時間プログラムを保持しているものも含むものとする。ま
た、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【０２２２】
以上、この発明の実施形態について図面を参照して詳述してきたが、具体的な構成はこの実施形態に限られるものではなく、この発明の要旨を逸脱しない範囲の設計等も含まれる。
【符号の説明】
【０２２３】
１、２、３、４、５、６…感染拡大防止支援システム
１０、１１、１２、１３、１４、１５…感染拡大防止支援サーバ
２０、２１、２３、２４…検査端末
３０、３１…移動端末、
４０…詳細解析システム
５１…端末位置情報ＤＢ
５２…個人情報ＤＢ
５３…会員情報ＤＢ
５４…地図情報ＤＢ
５５…設備情報ＤＢ
５６…物品情報等ＤＢ
５７…注意情報等ＤＢ
５８…検査判定情報ＤＢ
６１…行動規制情報ＤＢ
６２…物品供給支援情報ＤＢ
６３…感染統計情報ＤＢ
６４…緊急搬送支援情報ＤＢ
７１…行動規制支援システム
７２…物品供給支援システム
７３…感染統計情報提供システム
７４…緊急搬送支援システム
８０…検査デバイス
１１０…受信部
１２０…感染判定部
１３０…送受信制御部
１４０…出力部
２００…記憶部
２１０…入力受付部
２２０…検査情報取得部
２２５…感染判定部
２３０…送受信部
２４０…許否判定部
２５０…出力部
３００…記憶部
３１０…送受信部
３２０…許否判定部
３３０…出力部
１０００、１００１、１００２…行動規制情報生成部
１０１０…治療支援情報生成部
１０２０…生命維持支援情報生成部
１０３０…証明情報生成部
１０４０…統計情報生成部
１０５０…緊急搬送支援情報生成部
１０６０…医薬品選定部
【図１】
0006579170.tif 000002
【図２Ａ】
0006579170.tif 000003
【図２Ｂ】
0006579170.tif 000004
【図２Ｃ】
0006579170.tif 000005
【図２Ｄ】
0006579170.tif 000006
【図２Ｅ】
0006579170.tif 000007
【図３Ａ】
0006579170.tif 000008
【図３Ｂ】
0006579170.tif 000009
【図４Ａ】
0006579170.tif 000010
【図４Ｂ】
0006579170.tif 000011
【図４Ｃ】
0006579170.tif 000012
【図４Ｄ】
0006579170.tif 000013
【図４Ｅ】
0006579170.tif 000014
【図５Ａ】
0006579170.tif 000015
【図５Ｂ】
0006579170.tif 000016
【図６】
0006579170.tif 000017
【図７Ａ】
0006579170.tif 000018
【図７Ｂ】
0006579170.tif 000019
【図７Ｃ】
0006579170.tif 000020
【図７Ｄ】
0006579170.tif 000021
【図８】
0006579170.tif 000022
【図９】
0006579170.tif 000023
【図１０】
0006579170.tif 000024
【図１１Ａ】
0006579170.tif 000025
【図１１Ｂ】
0006579170.tif 000026
【図１１Ｃ】
0006579170.tif 000027
【図１１Ｄ】
0006579170.tif 000028
【図１１Ｅ】
0006579170.tif 000029
【図１１Ｆ】
0006579170.tif 000030
【図１１Ｇ】
0006579170.tif 000031
【図１１Ｈ】
0006579170.tif 000032
【図１２Ａ】
0006579170.tif 000033
【図１２Ｂ】
0006579170.tif 000034
【図１２Ｃ】
0006579170.tif 000035
【図１３】
0006579170.tif 000036
【図１４Ａ】
0006579170.tif 000037
【図１４Ｂ】
0006579170.tif 000038
【図１４Ｃ】
0006579170.tif 000039
【図１４Ｄ】
0006579170.tif 000040
【図１４Ｅ】
0006579170.tif 000041
【図１５】
0006579170.tif 000042
【図１６】
0006579170.tif 000043
【図１７】
0006579170.tif 000044
【図１８】
0006579170.tif 000045